(57)【要約】【課題】情報の表示されている電子ペーパをもともと綴じ込まれていた表示装置とは別の表示装置に綴じ込むことにより、綴じ込まれた電子ペーパの他のページの情報を、電子ペーパの追加以前に表示装置に綴じ込まれていた電子ペーパを利用して表示可能な表示装置、電子ペーパ及び出力装置を提供する。【解決手段】表示装置１には、スレーブペーパ４０１，スレーブペーパ４０２，スレーブペーパ４０３，スレーブペーパ４０４，マスタペーパ３０１の順で５枚の電子ペーパ５が綴じられている。そして、これらの電子ペーパ５には、文書Ａというコンテンツが１ページから順に５ページまで表示されている。そこに、他の表示装置１において文書Ｂというコンテンツの３ページ目が表示されているスレーブペーパ４１１が追加されると、もともと表示装置１に綴じられていた電子ペーパ５にも、追加されたスレーブペーパ４１１に表示されていた文書Ｂが表示される。【選択図】図２
2008083566.tif 000002
【特許請求の範囲】
【請求項１】
画像を表示する表示手段を備えた複数枚の電子ペーパと、前記複数枚の電子ペーパの前記表示手段への画像の出力を制御する出力装置とを備えた表示装置であって、
前記電子ペーパは、
前記表示手段に表示されているコンテンツのすべてのページの情報を表示させることが可能な情報であるコンテンツ情報を記憶するコンテンツ情報記憶手段と、
他の電子ペーパと識別するための識別情報を記憶する識別情報記憶手段とを備え、
前記出力装置は、
前記電子ペーパから前記識別情報記憶手段に記憶されている前記識別情報を取得する識別情報取得手段と、
前記電子ペーパの位置を示す情報である位置情報に基づいて前記表示装置に備えられた前記電子ペーパが増やされたか否かを判断する増判断手段と、
当該増判断手段により前記電子ペーパが増やされたと判断された場合に、前記位置情報及び前記識別情報に基づいて増やされた前記電子ペーパを追加電子ペーパとして特定する追加電子ペーパ特定手段と、
前記増判断手段により前記電子ペーパが増やされたと判断された際に、前記追加電子ペーパの前記コンテンツ情報記憶手段に記憶されている前記コンテンツ情報に基づいて、当該コンテンツ情報の示すコンテンツの画像を、前記表示装置に備えられた前記電子ペーパの表示手段に表示する表示制御手段とを備えたことを特徴とする表示装置。
【請求項２】
前記電子ペーパは、
前記位置情報を検出する位置情報検出手段と、
当該位置情報検出手段により検出された前記位置情報を前記出力装置に送信する送信手段とを備え、
前記出力装置は、
前記送信手段から送信された前記位置情報を受信する位置情報受信手段を備え、
前記増判断手段は、当該位置情報受信手段により受信された前記位置情報に基づいて前記電子ペーパが増やされたか否かの判断を行うことを特徴とする請求項１に記載の表示装置。
【請求項３】
前記出力装置は、
前記位置情報及び前記識別情報に基づいて前記表示装置に備えられた前記電子ペーパの順序を識別可能に示した順序情報を作成する順序情報作成手段と、
当該順序情報作成手段により作成された前記順序情報を記憶する順序情報記憶手段とを備え、
前記表示制御手段は、前記順序情報記憶手段に記憶されている前記順序情報に基づいて、前記コンテンツ情報の示すコンテンツの画像を、前記表示装置に備えられた前記電子ペーパの表示手段に表示することを特徴とする請求項１又は２に記載の表示装置。
【請求項４】
前記表示制御手段は、前記追加電子ペーパの前記表示手段に表示されている前記コンテンツのページを基準ページとして、前記順序情報記憶手段に記憶されている前記順序情報に基づいて、前記基準ページの前後のページの画像を前記追加電子ペーパの前後の前記電子ペーパの前記表示手段にページ順に表示させることを特徴とする請求項３に記載の表示装置。
【請求項５】
前記表示装置に備えられた複数枚の前記電子ペーパを綴じる綴じ部材を備え、
前記出力装置は、
前記綴じ部材が開閉されたことを検出する開閉検出手段と、
前記開閉検出手段により前記綴じ部材が開閉されたことが検出された場合に、前記順序情報作成手段により前記順序情報を作成する開閉後順序情報作成制御手段とを備え、
前記追加電子ペーパ特定手段は、前記開閉後順序情報作成制御手段により前記綴じ部材の開閉後に作成された前記順序情報と、前記綴じ部材の開閉の検出前に前記順序情報記憶手段に記憶されている前記順序情報とを比較することにより前記追加電子ペーパを特定することを特徴とする請求項３又は４に記載の表示装置。
【請求項６】
前記コンテンツ情報は、前記コンテンツを前記表示手段に表示するための画像データであることを特徴とする請求項１乃至５のいずれかに記載の表示装置。
【請求項７】
前記コンテンツ情報は、前記ネットワーク上の前記コンテンツの保存場所を示す情報であり、
前記出力装置は、
ネットワークに接続する接続手段と、
当該接続手段を用いて前記コンテンツ情報の示す前記保存場所から前記コンテンツを取得するコンテンツ取得手段とを備え、
前記表示制御手段は、前記追加電子ペーパの前記コンテンツ情報記憶手段に記憶されている前記コンテンツ情報の示す前記保存場所から前記コンテンツ取得手段により前記コンテンツを取得して、前記表示装置に備えられている前記電子ペーパの表示手段に表示することを特徴とする請求項１乃至６のいずれかに記載の表示装置。
【請求項８】
前記表示制御手段は、前記追加電子ペーパから離れた前記電子ペーパほど、前記コンテンツの画像を縮小することにより、前記電子ペーパの前記表示手段に表示する前記コンテンツのページ数を増やして、前記表示手段に前記コンテンツの画像を表示することを特徴とする請求項１乃至７のいずれかに記載の表示装置。
【請求項９】
前記電子ペーパは、
当該電子ペーパが前記追加電子ペーパであることを示す表示である追加マークを出力する追加マーク出力手段を備え、
前記出力装置は、
前記追加電子ペーパ特定手段により前記追加電子ペーパと特定された前記電子ペーパの前記追加マーク出力手段に前記追加マークを表示させる追加マーク表示制御手段を備えたことを特徴とする請求項１乃至８のいずれかに記載の表示装置。
【請求項１０】
前記出力装置は、
前記位置情報に基づいて前記表示装置に備えられた前記電子ペーパが減らされたか否かを判断する減判断手段と、
当該減判断手段により前記電子ペーパが減らされたことが検出された場合に、前記位置情報及び前記識別情報に基づいて減らされた前記電子ペーパを削除電子ペーパとして特定する削除電子ペーパ特定手段と、
当該削除電子ペーパ特定手段により前記削除電子ペーパと特定された前記電子ペーパが、前記追加電子ペーパであるか否かを判断する削除電子ペーパ判断手段と、
当該削除電子ペーパ判断手段により前記削除電子ペーパが前記追加電子ペーパと判断された場合には、当該追加電子ペーパが追加される以前に当該表示装置の前記表示手段に表示されていたコンテンツを、現在前記表示装置に備えられている前記電子ペーパの前記表示手段に表示させる削除表示制御手段とを備えたことを特徴とする請求項１乃至９のいずれかに記載の表示装置。
【請求項１１】
画像を表示する表示手段を備え、当該表示手段への画像の出力を制御する出力装置を備えた表示装置に備えられた電子ペーパであって、
前記表示手段に表示されているコンテンツのすべてのページの情報を表示させることが可能な情報であるコンテンツ情報を記憶するコンテンツ情報記憶手段を備えたことを特徴とする電子ペーパ。
【請求項１２】
前記コンテンツ情報は、前記コンテンツを前記表示手段に表示するための画像データであることを特徴とする請求項１１に記載の電子ペーパ。
【請求項１３】
前記コンテンツ情報は、前記ネットワーク上の前記コンテンツの保存場所を示す情報であることを特徴とする請求項１１又は１２に記載の電子ペーパ。
【請求項１４】
画像を表示する表示手段を備え、前記表示手段に表示されているコンテンツのすべてのページの情報を表示させることが可能な情報であるコンテンツ情報及び他の電子ペーパと識別するための識別情報を記憶した電子ペーパを複数枚備えた表示装置が備えられ、前記表示手段への画像の出力を制御する出力装置であって、
前記電子ペーパの位置を示す情報である位置情報に基づいて前記表示装置に備えられた前記電子ペーパが増やされたか否かを判断する増判断手段と、
当該増判断手段により前記電子ペーパが増やされたと判断された場合に、前記位置情報及び前記識別情報に基づいて増やされた前記電子ペーパを追加電子ペーパとして特定する追加電子ペーパ特定手段と、
前記増判断手段により前記電子ペーパが増やされたと判断された際に、前記追加電子ペーパ特定手段により前記追加電子ペーパを特定し、当該追加電子ペーパの前記コンテンツ情報記憶手段に記憶されている前記コンテンツ情報に基づいて、当該コンテンツ情報の示すコンテンツの画像を、前記表示装置に備えられている前記電子ペーパの表示手段に表示する表示制御手段とを備えたことを特徴とする出力装置。
【請求項１５】
前記電子ペーパにおいて検出され、送信された前記位置情報を受信する位置情報受信手段を備え、
前記増判断手段は、当該位置情報受信手段により受信された前記位置情報に基づいて前記電子ペーパが増やされたか否かの判断を行うことを特徴とする請求項１４に記載の出力装置。
【請求項１６】
前記位置情報及び前記識別情報に基づいて前記表示装置に備えられている前記電子ペーパの順序を識別可能に示した順序情報を作成する順序情報作成手段と、
当該順序情報作成手段により作成された前記順序情報を記憶する順序情報記憶手段とを備え、
前記表示制御手段は、前記順序情報記憶手段に記憶されている前記順序情報に基づいて、前記コンテンツ情報の示すコンテンツの画像を、前記表示装置に備えられている前記電子ペーパの表示手段に表示することを特徴とする請求項１４又は１５に記載の出力装置。
【請求項１７】
前記表示制御手段は、前記追加電子ペーパの前記表示手段に表示されている前記コンテンツのページを基準ページとして、前記順序情報作成手段により作成された前記順序情報に基づいて、前記基準ページの前後のページの画像をページ順に前記追加電子ペーパの前後の前記電子ペーパの前記表示手段に表示させることを特徴とする請求項１６に記載の出力装置。
【請求項１８】
前記表示装置が複数枚の前記電子ペーパを綴じる綴じ部材を備えており、
前記綴じ部材が開閉されたことを検出する開閉検出手段と、
前記開閉検出手段により前記綴じ部材が開閉されたことが検出された場合に、前記順序情報作成手段により前記順序情報を作成する開閉後順序情報作成制御手段とを備え、
前記追加電子ペーパ特定手段は、前記開閉後順序情報作成制御手段により前記綴じ部材の開閉後に作成された前記順序情報と、前記綴じ部材の開閉の検出前に前記順序情報記憶手段に記憶されている前記順序情報と比較することにより前記追加電子ペーパを特定することを特徴とする請求項１６又は１７に記載の出力装置。
【請求項１９】
前記コンテンツ情報は、前記コンテンツを前記表示手段に表示するための画像データであることを特徴とする請求項１４乃至１８のいずれかに記載の出力装置。
【請求項２０】
前記コンテンツ情報は、前記ネットワーク上の前記コンテンツの保存場所を示す情報であり、
ネットワークに接続する接続手段と、
当該接続手段を用いて前記コンテンツ情報の示す前記保存場所から前記コンテンツを取得するコンテンツ取得手段とを備え、
前記表示制御手段は、前記追加電子ペーパの前記コンテンツ情報記憶手段に記憶されている前記コンテンツ情報の示す前記保存場所から前記コンテンツ取得手段により前記コンテンツを取得して、前記表示装置に備えられている前記電子ペーパの表示手段に表示することを特徴とする請求項１４乃至１９のいずれかに記載の出力装置。
【請求項２１】
前記表示制御手段は、前記追加電子ペーパから離れた前記電子ペーパほど、前記コンテンツの画像を縮小することにより、前記電子ペーパの前記表示手段に表示する前記コンテンツのページ数を増やして、前記表示手段に前記コンテンツの画像を表示することを特徴とする請求項１４乃至２０のいずれかに記載の出力装置。
【請求項２２】
前記電子ペーパに当該電子ペーパが前記追加電子ペーパであることを示す表示である追加マークを出力する追加マーク出力手段が備えられており、
前記追加電子ペーパ特定手段により前記追加電子ペーパと特定された前記電子ペーパの前記追加マーク出力手段に前記追加マークを表示させる追加マーク表示制御手段を備えたことを特徴とする請求項１４乃至２１のいずれかに記載の出力装置。
【請求項２３】
前記位置情報に基づいて前記表示装置に備えられた前記電子ペーパが減らされたか否かを判断する減判断手段と、
当該減判断手段により前記電子ペーパが減らされたことが検出された場合に、前記位置情報及び前記識別情報減らされた前記電子ペーパを削除電子ペーパとして特定する削除電子ペーパ特定手段と、
当該削除電子ペーパ特定手段により前記削除電子ペーパと特定された前記電子ペーパが、前記追加電子ペーパであるか否かを判断する削除電子ペーパ判断手段と、
当該削除電子ペーパ判断手段により前記削除電子ペーパが前記追加電子ペーパと判断された場合には、当該追加電子ペーパが追加される以前に当該表示装置の前記表示手段に表示されていたコンテンツを、現在前記表示装置に備えられている前記電子ペーパの前記表示手段に表示させる削除表示制御手段とを備えたことを特徴とする請求項１４乃至２２のいずれかに記載の出力装置。
【発明の詳細な説明】
【技術分野】
【０００１】
本発明は、表示装置、電子ペーパ及び出力装置に関するものであり、詳細には表示装置を備えた複数の電子ペーパを綴じた表示装置、当該表示装置に綴じられる電子ペーパ及び当該表示装置に画像を出力する出力装置に関するものである。
【背景技術】
【０００２】
従来、電子書籍と呼ばれる、表裏の両面に表示手段を備えた電子ペーパを複数枚束ねて綴じ込んだ表示装置がある。たとえば、特許文献１では、複数の電子ペーパを着脱可能な本体に装着して、ノート状にした電子ペーパファイル（表示装置）が提案されている。この電子ペーパファイルでは、第一の記憶手段に記憶されている表示用データを電子ペーパに表示するが、表示用データのどのページを表示させるかを指定するページ指定手段を備えており、ユーザは、所望するページの表示用データを電子ペーパに表示させることができる。また、このような表示装置全体を持ち運ぶと嵩張るため、情報の表示された電子ペーパを表示装置から抜き取り、電子ペーパのみを持ち運び、利用することがある。
【特許文献１】特開２００２−２８７６９０号公報
【発明の開示】
【発明が解決しようとする課題】
【０００３】
しかしながら、電子ペーパのみを持ち運んだ場合、その電子ペーパに表示されている情報の前後のページの情報を見たくなっても、もともと綴じ込まれていた表示装置自体が手元にないために見ることができないという問題点があった。
【０００４】
本発明は、上述の問題点を解決するためになされたものであり、情報の表示されている電子ペーパをもともと綴じ込まれていた表示装置とは別の表示装置に綴じ込むことにより、綴じ込まれた電子ペーパの他のページの情報を、電子ペーパの追加以前に表示装置に綴じ込まれていた電子ペーパを利用して表示可能な表示装置、電子ペーパ及び出力装置を提供することを目的とする。
【課題を解決するための手段】
【０００５】
上記課題を解決するため、請求項１に係る発明の表示装置では、画像を表示する表示手段を備えた複数枚の電子ペーパと、前記複数枚の電子ペーパの前記表示手段への画像の出力を制御する出力装置とを備えた表示装置であって、前記電子ペーパは、前記表示手段に表示されているコンテンツのすべてのページの情報を表示させることが可能な情報であるコンテンツ情報を記憶するコンテンツ情報記憶手段と、他の電子ペーパと識別するための識別情報を記憶する識別情報記憶手段とを備え、前記出力装置は、前記電子ペーパから前記識別情報記憶手段に記憶されている前記識別情報を取得する識別情報取得手段と、前記電子ペーパの位置を示す情報である位置情報に基づいて前記表示装置に備えられた前記電子ペーパが増やされたか否かを判断する増判断手段と、当該増判断手段により前記電子ペーパが増やされたと判断された場合に、前記位置情報及び前記識別情報に基づいて増やされた前記電子ペーパを追加電子ペーパとして特定する追加電子ペーパ特定手段と、前記増判断手段により前記電子ペーパが増やされたと判断された際に、前記追加電子ペーパの前記コンテンツ情報記憶手段に記憶されている前記コンテンツ情報に基づいて、当該コンテンツ情報の示すコンテンツの画像を、前記表示装置に備えられた前記電子ペーパの表示手段に表示する表示制御手段とを備えたことを特徴とする。
【０００６】
また、請求項２に係る発明の表示装置では、請求項１に記載の発明の構成に加えて、前記電子ペーパは、前記位置情報を検出する位置情報検出手段と、当該位置情報検出手段により検出された前記位置情報を前記出力装置に送信する送信手段とを備え、前記出力装置は、前記送信手段から送信された前記位置情報を受信する位置情報受信手段を備え、前記増判断手段は、当該位置情報受信手段により受信された前記位置情報に基づいて前記電子ペーパが増やされたか否かの判断を行うことを特徴とする。
【０００７】
また、請求項３に係る発明の表示装置では、請求項１又は２に記載の発明の構成に加えて、前記出力装置は、前記位置情報及び前記識別情報に基づいて前記表示装置に備えられた前記電子ペーパの順序を識別可能に示した順序情報を作成する順序情報作成手段と、当該順序情報作成手段により作成された前記順序情報を記憶する順序情報記憶手段とを備え、前記表示制御手段は、前記順序情報記憶手段に記憶されている前記順序情報に基づいて、前記コンテンツ情報の示すコンテンツの画像を、前記表示装置に備えられた前記電子ペーパの表示手段に表示することを特徴とする。
【０００８】
また、請求項４に係る発明の表示装置では、請求項３に記載の発明の構成に加えて、前記表示制御手段は、前記追加電子ペーパの前記表示手段に表示されている前記コンテンツのページを基準ページとして、前記順序情報記憶手段に記憶されている前記順序情報に基づいて、前記基準ページの前後のページの画像を前記追加電子ペーパの前後の前記電子ペーパの前記表示手段にページ順に表示させることを特徴とする。
【０００９】
また、請求項５に係る発明の表示装置では、請求項３又は４に記載の発明の構成に加えて、前記表示装置に備えられた複数枚の前記電子ペーパを綴じる綴じ部材を備え、前記出力装置は、前記綴じ部材が開閉されたことを検出する開閉検出手段と、前記開閉検出手段により前記綴じ部材が開閉されたことが検出された場合に、前記順序情報作成手段により前記順序情報を作成する開閉後順序情報作成制御手段とを備え、前記追加電子ペーパ特定手段は、前記開閉後順序情報作成制御手段により前記綴じ部材の開閉後に作成された前記順序情報と、前記綴じ部材の開閉の検出前に前記順序情報記憶手段に記憶されている前記順序情報とを比較することにより前記追加電子ペーパを特定することを特徴とする。
【００１０】
また、請求項６に係る発明の表示装置では、請求項１乃至５のいずれかに記載の発明の構成に加えて、前記コンテンツ情報は、前記コンテンツを前記表示手段に表示するための画像データであることを特徴とする。
【００１１】
また、請求項７に係る発明の表示装置では、請求項１乃至６のいずれかに記載の発明の構成に加えて、前記コンテンツ情報は、前記ネットワーク上の前記コンテンツの保存場所を示す情報であり、前記出力装置は、ネットワークに接続する接続手段と、当該接続手段を用いて前記コンテンツ情報の示す前記保存場所から前記コンテンツを取得するコンテンツ取得手段とを備え、前記表示制御手段は、前記追加電子ペーパの前記コンテンツ情報記憶手段に記憶されている前記コンテンツ情報の示す前記保存場所から前記コンテンツ取得手段により前記コンテンツを取得して、前記表示装置に備えられている前記電子ペーパの表示手段に表示することを特徴とする。
【００１２】
また、請求項８に係る発明の表示装置では、請求項１乃至７のいずれかに記載の発明の構成に加えて、前記表示制御手段は、前記追加電子ペーパから離れた前記電子ペーパほど、前記コンテンツの画像を縮小することにより、前記電子ペーパの前記表示手段に表示する前記コンテンツのページ数を増やして、前記表示手段に前記コンテンツの画像を表示することを特徴とする。
【００１３】
また、請求項９に係る発明の表示装置では、請求項１乃至８のいずれかに記載の発明の構成に加えて、前記電子ペーパは、当該電子ペーパが前記追加電子ペーパであることを示す表示である追加マークを出力する追加マーク出力手段を備え、前記出力装置は、前記追加電子ペーパ特定手段により前記追加電子ペーパと特定された前記電子ペーパの前記追加マーク出力手段に前記追加マークを表示させる追加マーク表示制御手段を備えたことを特徴とする。
【００１４】
また、請求項１０に係る発明の表示装置では、請求項１乃至９のいずれかに記載の発明の構成に加えて、前記出力装置は、前記位置情報に基づいて前記表示装置に備えられた前記電子ペーパが減らされたか否かを判断する減判断手段と、当該減判断手段により前記電子ペーパが減らされたことが検出された場合に、前記位置情報及び前記識別情報に基づいて減らされた前記電子ペーパを削除電子ペーパとして特定する削除電子ペーパ特定手段と、当該削除電子ペーパ特定手段により前記削除電子ペーパと特定された前記電子ペーパが、前記追加電子ペーパであるか否かを判断する削除電子ペーパ判断手段と、当該削除電子ペーパ判断手段により前記削除電子ペーパが前記追加電子ペーパと判断された場合には、当該追加電子ペーパが追加される以前に当該表示装置の前記表示手段に表示されていたコンテンツを、現在前記表示装置に備えられている前記電子ペーパの前記表示手段に表示させる削除表示制御手段とを備えたことを特徴とする。
【００１５】
また、請求項１１に係る発明の電子ペーパでは、画像を表示する表示手段を備え、当該表示手段への画像の出力を制御する出力装置を備えた表示装置に備えられた電子ペーパであって、前記表示手段に表示されているコンテンツのすべてのページの情報を表示させることが可能な情報であるコンテンツ情報を記憶するコンテンツ情報記憶手段を備えたことを特徴とする。
【００１６】
また、請求項１２に係る発明の電子ペーパでは、請求項１１に記載の発明の構成に加えて、前記コンテンツ情報は、前記コンテンツを前記表示手段に表示するための画像データであることを特徴とする。
【００１７】
また、請求項１３に係る発明の電子ペーパでは、請求項１１又は１２に記載の発明の構成に加えて、前記コンテンツ情報は、前記ネットワーク上の前記コンテンツの保存場所を示す情報であることを特徴とする。
【００１８】
また、請求項１４に係る発明の出力装置では、画像を表示する表示手段を備え、前記表示手段に表示されているコンテンツのすべてのページの情報を表示させることが可能な情報であるコンテンツ情報及び他の電子ペーパと識別するための識別情報を記憶した電子ペーパを複数枚備えた表示装置が備えられ、前記表示手段への画像の出力を制御する出力装置であって、前記電子ペーパの位置を示す情報である位置情報に基づいて前記表示装置に備えられた前記電子ペーパが増やされたか否かを判断する増判断手段と、当該増判断手段により前記電子ペーパが増やされたと判断された場合に、前記位置情報及び前記識別情報に基づいて増やされた前記電子ペーパを追加電子ペーパとして特定する追加電子ペーパ特定手段と、前記増判断手段により前記電子ペーパが増やされたと判断された際に、前記追加電子ペーパ特定手段により前記追加電子ペーパを特定し、当該追加電子ペーパの前記コンテンツ情報記憶手段に記憶されている前記コンテンツ情報に基づいて、当該コンテンツ情報の示すコンテンツの画像を、前記表示装置に備えられている前記電子ペーパの表示手段に表示する表示制御手段とを備えたことを特徴とする。
【００１９】
また、請求項１５に係る発明の出力装置では、請求項１４に記載の発明の構成に加えて、前記電子ペーパにおいて検出され、送信された前記位置情報を受信する位置情報受信手段を備え、前記増判断手段は、当該位置情報受信手段により受信された前記位置情報に基づいて前記電子ペーパが増やされたか否かの判断を行うことを特徴とする。
【００２０】
また、請求項１６に係る発明の出力装置では、請求項１４又は１５に記載の発明の構成に加えて、前記位置情報及び前記識別情報に基づいて前記表示装置に備えられている前記電子ペーパの順序を識別可能に示した順序情報を作成する順序情報作成手段と、当該順序情報作成手段により作成された前記順序情報を記憶する順序情報記憶手段とを備え、前記表示制御手段は、前記順序情報記憶手段に記憶されている前記順序情報に基づいて、前記コンテンツ情報の示すコンテンツの画像を、前記表示装置に備えられている前記電子ペーパの表示手段に表示することを特徴とする。
【００２１】
また、請求項１７に係る発明の出力装置では、請求項１６に記載の発明の構成に加えて、前記表示制御手段は、前記追加電子ペーパの前記表示手段に表示されている前記コンテンツのページを基準ページとして、前記順序情報作成手段により作成された前記順序情報に基づいて、前記基準ページの前後のページの画像をページ順に前記追加電子ペーパの前後の前記電子ペーパの前記表示手段に表示させることを特徴とする。
【００２２】
また、請求項１８に係る発明の出力装置では、請求項１６又は１７に記載の発明の構成に加えて、前記表示装置が複数枚の前記電子ペーパを綴じる綴じ部材を備えており、前記綴じ部材が開閉されたことを検出する開閉検出手段と、前記開閉検出手段により前記綴じ部材が開閉されたことが検出された場合に、前記順序情報作成手段により前記順序情報を作成する開閉後順序情報作成制御手段とを備え、前記追加電子ペーパ特定手段は、前記開閉後順序情報作成制御手段により前記綴じ部材の開閉後に作成された前記順序情報と、前記綴じ部材の開閉の検出前に前記順序情報記憶手段に記憶されている前記順序情報と比較することにより前記追加電子ペーパを特定することを特徴とする。
【００２３】
また、請求項１９に係る発明の出力装置では、請求項１４乃至１８のいずれかに記載の発明の構成に加えて、前記コンテンツ情報は、前記コンテンツを前記表示手段に表示するための画像データであることを特徴とする。
【００２４】
また、請求項２０に係る発明の出力装置では、請求項１４乃至１９のいずれかに記載の発明の構成に加えて、前記コンテンツ情報は、前記ネットワーク上の前記コンテンツの保存場所を示す情報であり、ネットワークに接続する接続手段と、当該接続手段を用いて前記コンテンツ情報の示す前記保存場所から前記コンテンツを取得するコンテンツ取得手段とを備え、前記表示制御手段は、前記追加電子ペーパの前記コンテンツ情報記憶手段に記憶されている前記コンテンツ情報の示す前記保存場所から前記コンテンツ取得手段により前記コンテンツを取得して、前記表示装置に備えられている前記電子ペーパの表示手段に表示することを特徴とする。
【００２５】
また、請求項２１に係る発明の出力装置では、請求項１４乃至２０のいずれかに記載の発明の構成に加えて、前記表示制御手段は、前記追加電子ペーパから離れた前記電子ペーパほど、前記コンテンツの画像を縮小することにより、前記電子ペーパの前記表示手段に表示する前記コンテンツのページ数を増やして、前記表示手段に前記コンテンツの画像を表示することを特徴とする。
【００２６】
また、請求項２２に係る発明の出力装置では、請求項１４乃至２１のいずれかに記載の発明の構成に加えて、前記電子ペーパに当該電子ペーパが前記追加電子ペーパであることを示す表示である追加マークを出力する追加マーク出力手段が備えられており、前記追加電子ペーパ特定手段により前記追加電子ペーパと特定された前記電子ペーパの前記追加マーク出力手段に前記追加マークを表示させる追加マーク表示制御手段を備えたことを特徴とする。
【００２７】
また、請求項２３に係る発明の出力装置では、請求項１４乃至２２のいずれかに記載の発明の構成に加えて、前記位置情報に基づいて前記表示装置に備えられた前記電子ペーパが減らされたか否かを判断する減判断手段と、当該減判断手段により前記電子ペーパが減らされたことが検出された場合に、前記位置情報及び前記識別情報減らされた前記電子ペーパを削除電子ペーパとして特定する削除電子ペーパ特定手段と、当該削除電子ペーパ特定手段により前記削除電子ペーパと特定された前記電子ペーパが、前記追加電子ペーパであるか否かを判断する削除電子ペーパ判断手段と、当該削除電子ペーパ判断手段により前記削除電子ペーパが前記追加電子ペーパと判断された場合には、当該追加電子ペーパが追加される以前に当該表示装置の前記表示手段に表示されていたコンテンツを、現在前記表示装置に備えられている前記電子ペーパの前記表示手段に表示させる削除表示制御手段とを備えたことを特徴とする。
【発明の効果】
【００２８】
請求項１に係る発明の表示装置では、電子ペーパのコンテンツ情報記憶手段は、表示手段に表示されているコンテンツのすべてのページの情報を表示させることが可能な情報であるコンテンツ情報を記憶し、識別情報記憶手段は、他の電子ペーパと識別するための識別情報を記憶することができる。そして、出力装置の識別情報取得手段は、電子ペーパから識別情報記憶手段に記憶されている識別情報を取得し、増判断手段は、電子ペーパの位置を示す情報である位置情報に基づいて表示装置に備えられた電子ペーパが増やされたか否かを判断し、追加電子ペーパ特定手段は、増判断手段により電子ペーパが増やされたと判断された場合に、位置情報及び識別情報に基づいて増やされた電子ペーパを追加電子ペーパとして特定し、表示制御手段は、増判断手段により電子ペーパが増やされたと判断された際に、追加電子ペーパのコンテンツ情報記憶手段に記憶されているコンテンツ情報に基づいて、コンテンツ情報の示すコンテンツの画像を、表示装置に備えられた電子ペーパの表示手段に表示することができる。したがって、その電子ペーパに表示されているコンテンツの他のページの情報を閲覧したいときに、その電子ペーパに情報を表示させた出力装置がなくても、他の出力装置に接続させることにより、コンテンツの他のページの情報を閲覧することができる。
【００２９】
また、請求項２に係る発明の表示装置では、請求項１に記載の発明の効果に加えて、電子ペーパの位置情報検出手段は、位置情報を検出し、送信手段は、位置情報検出手段により検出された位置情報を出力装置に送信することができる。そして、出力装置の位置情報受信手段は、送信手段から送信された位置情報を受信することができる。そして、増判断手段は、位置情報受信手段により受信された位置情報に基づいて電子ペーパが増やされたか否かの判断を行うことができる。したがって、電子ペーパにおいて、自身の綴じられている位置を検出し、出力装置では検出された位置情報を収集することにより、綴じられている電子ペーパの位置を把握して、電子ペーパが増やされたことを検出することができる。
【００３０】
また、請求項３に係る発明の表示装置では、請求項１又は２に記載の発明の効果に加えて、出力装置の順序情報作成手段は、位置情報及び識別情報に基づいて表示装置に備えられた電子ペーパの順序を識別可能に示した順序情報を作成し、順序情報記憶手段は、順序情報作成手段により作成された順序情報を記憶することができる。そして、表示制御手段は、順序情報記憶手段に記憶されている順序情報に基づいて、コンテンツ情報の示すコンテンツの画像を、表示装置に備えられた電子ペーパの表示手段に表示することができる。
【００３１】
また、請求項４に係る発明の表示装置では、請求項３に記載の発明の効果に加えて、表示制御手段は、追加電子ペーパの表示手段に表示されているコンテンツのページを基準ページとして、順序情報記憶手段に記憶されている順序情報に基づいて、基準ページの前後のページの画像を追加電子ペーパの前後の電子ペーパの表示手段にページ順に表示させることができる。したがって、出力装置では電子ペーパの綴じられている順序を把握できるので、コンテンツをページ順に電子ペーパに表示させることができる。
【００３２】
また、請求項５に係る発明の表示装置では、請求項３又は４に記載の発明の効果に加えて、出力装置の開閉検出手段は、綴じ部材が開閉されたことを検出し、開閉後順序情報作成制御手段は、開閉検出手段により綴じ部材が開閉されたことが検出された場合に、順序情報作成手段により順序情報を作成することができる。そして、追加電子ペーパ特定手段は、開閉後順序情報作成制御手段により綴じ部材の開閉後に作成された順序情報と、綴じ部材の開閉の検出前に順序情報記憶手段に記憶されている順序情報とを比較することにより追加電子ペーパを特定することができる。したがって、容易に追加電子ペーパを特定することができる。
【００３３】
また、請求項６に係る発明の表示装置では、請求項１乃至５のいずれかに記載の発明の効果に加えて、コンテンツ情報をコンテンツを表示手段に表示するための画像データとすることができる。したがって、確実に追加電子ペーパに表示されていたコンテンツを、もともと綴じられていた電子ペーパに表示させることができる。
【００３４】
また、請求項７に係る発明の表示装置では、請求項１乃至６のいずれかに記載の発明の効果に加えて、コンテンツ情報は、ネットワーク上のコンテンツの保存場所を示す情報であり、出力装置の接続手段は、ネットワークに接続し、コンテンツ取得手段は、接続手段を用いてコンテンツ情報の示す保存場所からコンテンツを取得することができる。そして、表示制御手段は、追加電子ペーパのコンテンツ情報記憶手段に記憶されているコンテンツ情報の示す保存場所からコンテンツ取得手段によりコンテンツを取得して、表示装置に備えられている電子ペーパの表示手段に表示することができる。したがって、電子ペーパに記憶しておくべき情報量が少なくてすむ。
【００３５】
また、請求項８に係る発明の表示装置では、請求項１乃至７のいずれかに記載の発明の効果に加えて、表示制御手段は、追加電子ペーパから離れた電子ペーパほど、コンテンツの画像を縮小することにより、電子ペーパの表示手段に表示するコンテンツのページ数を増やして、表示手段にコンテンツの画像を表示することができる。したがって、多数のページを表示させることができ、追加電子ペーパに近い情報をより見やすく表示することができる。
【００３６】
また、請求項９に係る発明の表示装置では、請求項１乃至８のいずれかに記載の発明の効果に加えて、電子ペーパの追加マーク出力手段は、電子ペーパが追加電子ペーパであることを示す表示である追加マークを出力することができる。そして、出力装置の追加マーク表示制御手段は、追加電子ペーパ特定手段により追加電子ペーパと特定された電子ペーパの追加マーク出力手段に追加マークを表示させることができる。したがって、追加された電子ペーパを簡単に識別できる。
【００３７】
また、請求項１０に係る発明の表示装置では、請求項１乃至９のいずれかに記載の発明の効果に加えて、出力装置の減判断手段は、位置情報に基づいて表示装置に備えられた電子ペーパが減らされたか否かを判断し、削除電子ペーパ特定手段は、減判断手段により電子ペーパが減らされたことが検出された場合に、位置情報及び識別情報に基づいて減らされた電子ペーパを削除電子ペーパとして特定し、削除電子ペーパ判断手段は、削除電子ペーパ特定手段により削除電子ペーパと特定された電子ペーパが、追加電子ペーパであるか否かを判断し、削除表示制御手段は、削除電子ペーパ判断手段により削除電子ペーパが追加電子ペーパと判断された場合には、追加電子ペーパが追加される以前に表示装置の表示手段に表示されていたコンテンツを、現在表示装置に備えられている電子ペーパの表示手段に表示させることができる。したがって、追加電子ペーパが抜き取られたら、元のコンテンツを表示させることができる。
【００３８】
また、請求項１１に係る発明の電子ペーパでは、コンテンツ情報記憶手段は、表示手段に表示されているコンテンツのすべてのページの情報を表示させることが可能な情報であるコンテンツ情報を記憶することができる。したがって、この電子ペーパを他の出力装置に接続させた際に、この電子ペーパに表示されているコンテンツの他のページの情報を他の電子ペーパに表示させることが可能となる。
【００３９】
また、請求項１２に係る発明の電子ペーパでは、請求項１１に記載の発明の効果に加えて、コンテンツ情報をコンテンツを表示手段に表示するための画像データとすることができる。したがって、確実に追加電子ペーパに表示されていたコンテンツを、もともと綴じられていた電子ペーパに表示させることが可能となる。
【００４０】
また、請求項１３に係る発明の電子ペーパでは、請求項１１又は１２に記載の発明の効果に加えて、コンテンツ情報をネットワーク上のコンテンツの保存場所を示す情報とすることができる。したがって、電子ペーパに記憶しておくべき情報量が少なくてすむ。
【００４１】
また、請求項１４に係る発明の出力装置では、増判断手段は、電子ペーパの位置を示す情報である位置情報に基づいて表示装置に備えられた電子ペーパが増やされたか否かを判断し、追加電子ペーパ特定手段は、増判断手段により電子ペーパが増やされたと判断された場合に、位置情報及び識別情報に基づいて増やされた電子ペーパを追加電子ペーパとして特定し、表示制御手段は、増判断手段により電子ペーパが増やされたと判断された際に、追加電子ペーパ特定手段により追加電子ペーパを特定し、追加電子ペーパのコンテンツ情報記憶手段に記憶されているコンテンツ情報に基づいて、コンテンツ情報の示すコンテンツの画像を、表示装置に備えられている電子ペーパの表示手段に表示することができる。したがって、追加された電子ペーパを簡単に識別できる。
【００４２】
また、請求項１５に係る発明の出力装置では、請求項１４に記載の発明の効果に加えて、位置情報受信手段は、電子ペーパにおいて検出され、送信された位置情報を受信することができる。そして、増判断手段は、位置情報受信手段により受信された位置情報に基づいて電子ペーパが増やされたか否かの判断を行うことができる。したがって、電子ペーパにおいて検出された綴じられている位置を、出力装置で収集することにより、綴じられている電子ペーパの位置を把握して、電子ペーパが増やされたことを検出することができる。
【００４３】
また、請求項１６に係る発明の出力装置では、請求項１４又は１５に記載の発明の効果に加えて、順序情報作成手段は、位置情報及び識別情報に基づいて表示装置に備えられている電子ペーパの順序を識別可能に示した順序情報を作成し、順序情報記憶手段は、順序情報作成手段により作成された順序情報を記憶することができる。そして、表示制御手段は、順序情報記憶手段に記憶されている順序情報に基づいて、コンテンツ情報の示すコンテンツの画像を、表示装置に備えられている電子ペーパの表示手段に表示することができる。電子ペーパの綴じられている順序を把握できるので、コンテンツをページ順に電子ペーパに表示させることができる。
【００４４】
また、請求項１７に係る発明の出力装置では、請求項１６に記載の発明の効果に加えて、表示制御手段は、追加電子ペーパの表示手段に表示されているコンテンツのページを基準ページとして、順序情報作成手段により作成された順序情報に基づいて、基準ページの前後のページの画像をページ順に追加電子ペーパの前後の電子ペーパの表示手段に表示させることができる。したがって、追加電子ペーパの前後のページを、表示装置に綴じられている電子ペーパにページ順に表示することができる。
【００４５】
また、請求項１８に係る発明の出力装置では、請求項１６又は１７に記載の発明の効果に加えて、開閉検出手段は、綴じ部材が開閉されたことを検出し、開閉後順序情報作成制御手段は、開閉検出手段により綴じ部材が開閉されたことが検出された場合に、順序情報作成手段により順序情報を作成することができる。そして、追加電子ペーパ特定手段は、開閉後順序情報作成制御手段により綴じ部材の開閉後に作成された順序情報と、綴じ部材の開閉の検出前に順序情報記憶手段に記憶されている順序情報と比較することにより追加電子ペーパを特定することができる。したがって、容易に追加電子ペーパを特定することができる。
【００４６】
また、請求項１９に係る発明の出力装置では、請求項１４乃至１８のいずれかに記載の発明の効果に加えて、コンテンツ情報をコンテンツを表示手段に表示するための画像データとすることができる。したがって、確実に追加電子ペーパに表示されていたコンテンツを、もともと綴じられていた電子ペーパに表示させることができる。
【００４７】
また、請求項２０に係る発明の出力装置では、請求項１４乃至１９のいずれかに記載の発明の効果に加えて、コンテンツ情報をネットワーク上のコンテンツの保存場所を示す情報とすることができ、接続手段は、ネットワークに接続し、コンテンツ取得手段は、接続手段を用いてコンテンツ情報の示す保存場所からコンテンツを取得することができる。
そして、表示制御手段は、追加電子ペーパのコンテンツ情報記憶手段に記憶されているコンテンツ情報の示す保存場所からコンテンツ取得手段によりコンテンツを取得して、表示装置に備えられている電子ペーパの表示手段に表示することができる。電子ペーパへの記憶容量の負担なく、追加電子ペーパに表示されているコンテンツの他のページの情報を表示させることができる。
【００４８】
また、請求項２１に係る発明の出力装置では、請求項１４乃至２０のいずれかに記載の発明の効果に加えて、表示制御手段は、追加電子ペーパから離れた電子ペーパほど、コンテンツの画像を縮小することにより、電子ペーパの表示手段に表示するコンテンツのページ数を増やして、表示手段にコンテンツの画像を表示することができる。したがって、数のページを表示させることができ、追加電子ペーパに近い情報をより見やすく表示することができる。
【００４９】
また、請求項２２に係る発明の出力装置では、請求項１４乃至２１のいずれかに記載の発明の効果に加えて、追加マーク表示制御手段は、追加電子ペーパ特定手段により追加電子ペーパと特定された電子ペーパの追加マーク出力手段に追加マークを表示させることができる。したがって、追加された電子ペーパを簡単に識別できる。
【００５０】
また、請求項２３に係る発明の出力装置では、請求項１４乃至２２のいずれかに記載の発明の効果に加えて、減判断手段は、位置情報に基づいて表示装置に備えられた電子ペーパが減らされたか否かを判断し、削除電子ペーパ特定手段は、減判断手段により電子ペーパが減らされたことが検出された場合に、位置情報及び識別情報減らされた電子ペーパを削除電子ペーパとして特定し、削除電子ペーパ判断手段は、削除電子ペーパ特定手段により削除電子ペーパと特定された電子ペーパが、追加電子ペーパであるか否かを判断し、削除表示制御手段は、削除電子ペーパ判断手段により削除電子ペーパが追加電子ペーパと判断された場合には、追加電子ペーパが追加される以前に表示装置の表示手段に表示されていたコンテンツを、現在表示装置に備えられている電子ペーパの表示手段に表示させることができる。したがって、追加電子ペーパが抜き取られたら、元のコンテンツを表示させることができる。
【発明を実施するための最良の形態】
【００５１】
以下、本発明の実施の形態である表示装置１について図面を参照して説明する。表示装置１は、複数の電子ペーパを備えたバインダタイプである。まず、図１を参照して、表示装置１の物理的構成について説明する。図１は、表示装置１の外観を模式的に示した外観図である。
【００５２】
図１に示すように、表示装置１は、片面に表示部３６を備えた電子ペーパである略長方形のマスタペーパ３と、マスタペーパ３と同様の形状で表示部４６（図９参照）を備えたスレーブペーパ４を備えている。そして、マスタペーパ３及び各スレーブペーパ４は、４つの貫通孔６１〜６４を備え、それぞれの貫通孔を貫通する４つのリング２１〜２４からなる綴じ部材２により束ねて綴じられている。本実施形態では、スレーブペーパ４が４枚の場合を例にして説明する。以下、マスタペーパ３及びスレーブペーパ４を総称して電子ペーパ５と呼ぶこととする。なお、マスタペーパ３は出力装置として機能し、マスタペーパ３及びスレーブペーパ４の表示部３６，４６に表示させる画像の制御が行われる。
【００５３】
ここで、図２乃至図５を参照して、本発明の要部である、表示装置１に他の表示装置から抜き取られたスレーブペーパ４が挿入された際の動作について説明する。図２は、表示装置１に他の表示装置１で表示部４６への表示が行われたスレーブペーパ４１１が挿入される際の状態を示した説明図５００であり、図３は、スレーブペーパ４１１が表示装置１へ挿入された際の各電子ペーパ５の表示状態を示した説明図５０１であり、図４は、図３に示した説明図５０１の状態からスレーブペーパ４１１が抜き取られた状態の各電子ペーパ５の表示状態を示した説明図５０２であり、図５は、図３に示した説明図５０１の状態からスレーブペーパ４０３が抜き取られた状態の各電子ペーパ５の表示状態を示した説明図５０１である。なお、図２乃至図５の電子ペーパ内に表示されている上段目の文字はファイル名であり、下段の数字は表示されている文書のページ数であるとする。
【００５４】
図２の説明図５００に示すように、表示装置１には、スレーブペーパ４０１，スレーブペーパ４０２，スレーブペーパ４０３，スレーブペーパ４０４，マスタペーパ３０１の順で５枚の電子ペーパ５が綴じられている。そして、これらの電子ペーパ５には、「文書Ａ」というコンテンツが１ページから順に５ページまで表示されている。そこに、他の表示装置１において「文書Ｂ」というコンテンツの３ページ目が表示されているスレーブペーパ４１１が追加される。追加位置は、１枚目のスレーブペーパ４０１と、２枚目のスレーブペーパ４０２との間である。
【００５５】
本発明の表示装置１では、このように、他の表示装置１において表示部４６に情報が表示されているスレーブペーパ４１１が追加されると、表示装置１では、図３に示す説明図５０１のように、表示装置１の電子ペーパ５にも、追加されたスレーブペーパ４１１に表示されていた文書Ｂが表示されることとなる。以下、追加されたスレーブペーパのことを、「追加電子ペーパ」と呼ぶこととする。図３に示すように、追加電子ペーパの表示内容は変わっておらず、追加電子ペーパよりも１枚前のスレーブペーパ４０１には、追加電子ペーパに表示されている文書Ｂの３ページ目よりも１ページ前の文書Ｂの２ページ目が表示される。そして、追加電子ペーパよりも１枚後のスレーブペーパ４０２には、追加電子ペーパに表示されている文書Ｂの３ページ目よりも１ページ後の文書Ｂの４ページ目が表示される。そして、続くスレーブペーパ４０３，４０４，マスタペーパ３０１にも、文書Ｂの続きのページ、すなわち、５ページ目、６ページ目、７ページ目が表示される。
【００５６】
この文書Ｂの３ページ目以外の情報は、追加電子ペーパ４１１のＦｌａｓｈＲＯＭ４９のコンテンツ情報記憶エリア４４２（図３１参照）に記憶されている。
【００５７】
次に、図４の説明図５０２に示すように、追加電子ペーパ４１１が表示装置１から抜き出された場合について説明する。この場合には、もともと表示装置１に綴じられていたスレーブペーパ４０１，４０２，４０３，４０４，マスタペーパ３０１には、もともと表示されていた文書Ａが表示される。１枚目のスレーブペーパ４０１に１ページ目から順に表示される
【００５８】
次に、図５の説明図５０３に示すように、もともと表示装置１に綴じられていたスレーブペーパ４０３が表示装置１から抜き出された場合について説明する。この場合には、まだ追加電子ペーパ４１１は表示装置１に綴じられているので、残されているスレーブペーパ４０１，４１１，４０２，４０４，マスタペーパ３０１において、通しページとなるように、スレーブペーパ４０４，マスタペーパ３０１の表示が更新される。よって、図５の説明図５０３のように、文書Ｂの２ページ目から６ページ目が順に表示される。
【００５９】
次に、図１、図６及び図７を参照して、電子ペーパ５の綴じ部材２について説明する。電子ペーパ５には、電源供給用貫通孔６１，接地用貫通孔６２，通信用貫通孔６３，位置検出用貫通孔６４の４つの貫通孔が設けられている。以下、これらの貫通孔を総称して貫通孔６という。そして、綴じ部材２は、電源供給用リング２１，接地用リング２２，通信用リング２３，位置検出用リング２４の４つのリングで構成されている。電源供給用貫通孔６１には電源供給用リング２１を挿入し、接地用貫通孔６２には接地用リング２２を挿入し、通信用貫通孔６３には通信用リング２３を挿入し、位置検出用貫通孔６４には位置検出用リング２４を挿入して、電子ペーパ５が綴じられる。また、各リング２１〜２４はマスタペーパ３に固定されている。そして、スレーブペーパ４の各貫通孔６の周囲には導電性のブラシ（図示外）が貫通孔の中心に向かって設置されており、ブラシと各リングが確実に接触するようになっている。
【００６０】
電源供給用リング２１は、マスタペーパ３に備えられているバッテリー５４（図９参照）に接続され、スレーブペーパ４へ電源を供給する。ここで、図６を参照して、電源供給用リング２１について説明する。図６は、電源供給用リング２１の断面を示す模式図である。
【００６１】
図６に示すように、電源供給用リング２１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図６に示すように、電源供給用リング２１の開閉部１１９の図６における右側の端部を端部１１９１、左側の端部を端部１１９２とする。
【００６２】
電源供給用リング２１の内部は絶縁体１１３であり、その絶縁体１１３は表面が導体１１４で覆われている。そして、図６に示すように、電源供給用リング２１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００６３】
なお、マスタペーパ３の電源供給用貫通孔６１内のマスタペーパ３の端側には、１つの凹部が設けられている。そして、その凹部には、バッテリー５４（図９参照）に接続された導線の一端が接続されている。マスタペーパ３の凹部に電源供給用リング２１の凸部１１２が嵌合され、マスタペーパ３に電源供給用リング２１が固定される。そして、導線１１６にはバッテリー５４から５Ｖの電圧が印加され、導線１１６の接続点１１６２から導体１１４に電流が流れる。
【００６４】
また、スレーブペーパ４の電源供給用貫通孔６１の内側には、導電性のブラシ（図示外）が設けられており、導体１１４と接触している。そして、このブラシから取得された電源がスレーブペーパ４を駆動させるための電源とされる。
【００６５】
また、接地用リング２２は、マスタペーパ３に備えられている０Ｖのアース５５（図９参照）に接続され、スレーブペーパ４からの接地に利用される。通信用リング２３は、マスタペーパ３に備えられている内部通信部３５（図９参照）及びスレーブペーパ４に備えられている内部通信部４５（図９参照）を接続し、電子ペーパ５間で情報のやり取りを行うのに使用される。
【００６６】
位置検出用リング２４は、電子ペーパ５がどのような順で綴じ部材２に綴じられているかを検出するのに利用される。ここで、図７及び図８を参照して位置検出用リング２４及び位置検出用リング２４による電子ペーパ５の綴じ順序の検出方法について説明する。図７は、位置検出用リング２４の断面を示す模式図である。図８は、位置検出用リング２４に１枚のマスタペーパ３と４枚のスレーブペーパ４とが綴じられている状態を示す模式図である。
【００６７】
図７に示すように、位置検出用リング２４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図７に示す、位置検出用リング２４の開閉部１４９の図７における紙面右側の端部を端部１４９１、左側の端部を端部１４９２とする。
【００６８】
位置検出用リング２４の内部は絶縁体１４３であり、その絶縁体１４３は表面がカーボン等の電気抵抗体１４４で覆われている。そして、図７に示すように、位置検出用リング２４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００６９】
さらに、開閉部１４９の端部１４９１には、位置検出用リング２４の開閉を検出するスイッチ１４８が設けられている。このスイッチ１４８は、感圧センサであり、位置検出用リング２４が綴じられているとＯＮを検出し、開放されているとＯＦＦの状態となる。そして、このスイッチ１４８は、位置検出用リング２４の絶縁体１４３の内部に埋め込まれた導線１４８１の一端に接続され、導線１４８１の他端は凸部１４２から外部に接続可能となっている。
【００７０】
なお、マスタペーパ３の位置検出用貫通孔６４の内部には、２つの凹部が設けられており、マスタぺーパ３が位置検出用リング２４に固定される。この凹部は、マスタペーパ３の短手方向に平行に向かい合う位置に設けられている。そして、マスタペーパ３の内側の凹部には、バッテリー５４（図９参照）に接続された導線の一端及び開閉検出部３９（図９参照）に接続された導線の一端が接続されており、外側の凹部には、アース５５（図９参照）に接続された導線の一端が接続されている。
【００７１】
そして、位置検出用リング２４の凸部１４１，１４２にマスタペーパ３の凹部が嵌合され、位置検出用リング２４はマスタペーパ３に固定されている。従って、導線１４６にはバッテリー５４から５Ｖの電圧が印加され、導線１４６の接続点１４６２から電気抵抗体１４４に電流が流れ、導線１４７の接続点１４７２から導線１４７へ、そしてアース５５へ電流が流れる。ここで、端部１４９１，１４９２は電気抵抗体１４４で覆われていないので、開閉部１４９が綴じられている状態で端部１４９１，１４９２がショートすることがない。バッテリー５４から供給された電力は、電気抵抗体１４４を流れる間に、電気抵抗体１４４の抵抗により電圧は下がり、位置検出用リング２４の端部１４９１から端部１４９２へ向かって、電圧が下がっていく。
【００７２】
また、スレーブペーパ４には、電圧計である電圧計測部４８（図９参照）が設けられている。そして、位置検出用貫通孔６４に設けられたブラシが電圧計測部４８の端子として機能し、位置検出用貫通孔６４に挿入されている位置検出用リング２４に流れている電流の電圧を計測する。そして、電圧計測部４８で計測された電圧値は、位置検出部４７において、０〜２５５の値にＡ／Ｄ変換される。位置検出用リング２４では、位置検出用リング２４の端部１４９１から端部１４９２へ向かって電圧が下がるので、スレーブペーパ４の位置検出用リング２４内での配置位置により、電圧計測部４８で計測される電圧は異なった値となる。そこで、位置検出用リング２４の中でそのスレーブペーパ４が０〜２５５のどの位置にあるかを検出し、電子ペーパ５の綴じ順序を検出することができる。なお、以下、Ａ／Ｄ変換した値をＡ／Ｄ変換値と呼ぶこととする。後述するペーパ順序管理テーブル（図１１参照）においては、このＡ／Ｄ変換値が位置検出用リング２４内での電子ペーパ５の位置を示す「環内位置」の値として使用される。
【００７３】
図８に示すように、本実施の形態では、マスタペーパ３の固定される凸部１４１，１４２が設けられている位置でマスタペーパ３により取得されるＡ／Ｄ変換値は「１２８」である。そして、端部１４９１にスレーブペーパ４が存在する場合には、スレーブペーパ４の電圧計測部４８において計測された電圧値が位置検出部４７においてＡ／Ｄ変換値「２５５」と検出され、図８における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図８における端部１４９２の左隣にスレーブペーパ４が存在する場合には、Ａ／Ｄ変換値は「１」と検出される。そして、マスタペーパ３の図８における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。
【００７４】
次に、図９乃至図１３を参照して、表示装置１の電気的構成について説明する。図９は、表示装置１の電気的構成を示すブロック図である。図１０は、マスタペーパ３のＲＡＭ３３のデータ構造を示す構成図である。図１１は、ペーパ順序管理テーブル記憶エリア３３３に記憶されたペーパ順序管理テーブルの一例であるペーパ順序管理テーブル３３３１のデータ構造を示す構成図である。図１２は、スレーブペーパ４のＲＡＭ４３のデータ構造を示す構成図である。図１３は、スレーブペーパ４のＥＥＰＲＯＭ４４のデータ構造を示す模式図であり、図９９は、ＦｌａｓｈＲＯＭ４９のデータ構造を示す構成図である。
【００７５】
図９に示すように、表示装置１は、マスタペーパ３とスレーブペーパ４とから構成されている。なお、スレーブペーパ４は複数接続可能であるが、電気的構成はどのスレーブペーパ４でも同様であるため、図９においては１枚のスレーブペーパ４のみを記載している。
【００７６】
マスタペーパ３は、マスタペーパ３の全体を制御するＣＰＵ３１と、プログラム等を記憶したＲＯＭ３２と、データを一時的に記憶するＲＡＭ３３と、マスタペーパ３の製造番号を記憶したＥＥＰＲＯＭ３４とを備えている。そして、ＲＯＭ３２とＲＡＭ３３とＥＥＰＲＯＭ３４とはバスを介してＣＰＵ３１に接続されている。ＥＥＰＲＯＭ３４に記憶された製造番号は、それぞれのマスタペーパ３に固有の番号であり、他のマスタペーパ３から一意に識別できるマスタペーパ３の識別情報である。
【００７７】
また、表示用データを閲覧可能に表示するための表示部３６と、表示用データ又は表示用データの所在情報を記憶するメモリカード３７を読み込むためのメモリカードインタフェイス（Ｉ／Ｆ）１３７と、通信用リング２３に接続してスレーブペーパ４との間でデータ通信を行うための通信回路を備えた内部通信部３５と、時間を計測するための計時装置３８とも同様にバスを介してＣＰＵ３１に接続されている。
【００７８】
さらに、マスタペーパ３には、マスタペーパ３及び綴じ部材２に綴じられているスレーブペーパ４に電源を供給するバッテリー５４、表示装置１を安定して動作させるためのアース５５が設けられている。バッテリー５４は、スレーブペーパ４への電源供給のために、電源供給用リング２１に接続しており、アース５５は、スレーブペーパ４の動作安定のために接地用リング２２に接続している。さらに、位置検出用リング２４へ電流を流すために、バッテリー５４及びアース５５は位置検出用リング２４に接続している。さらに、マスタペーパ３には開閉検出部３９が設けられており、位置検出用リング２４の凸部１４２に接続し、位置検出用リング２４のスイッチ１４８に接続して、位置検出用リング２４の開閉の検出が行われる。
【００７９】
一方、スレーブペーパ４は、スレーブペーパ４の全体を制御するＣＰＵ４１と、プログラム等を記憶したＲＯＭ４２と、データを一時的に記憶するＲＡＭ４３と、スレーブペーパ４の製造番号を記憶したＥＥＰＲＯＭ４４とコンテンツ情報を記憶するＦｌａｓｈＲＯＭ４９とを備えている。そして、ＲＯＭ４２とＲＡＭ４３とＥＥＰＲＯＭ４４とＦｌａｓｈＲＯＭ４９とはバスを介してＣＰＵ４１に接続されている。ＥＥＰＲＯＭ４０４に記憶された製造番号は、それぞれのスレーブペーパ４に固有の番号であり、他のスレーブペーパ４から一意に識別できるスレーブペーパ４の識別情報である。また、表示用データを閲覧可能に表示するための表示部４６も、ＣＰＵ４１に接続されている。
【００８０】
そして、通信用リング２３に接続してマスタペーパ３との間でデータ通信を行うための通信回路を備えた内部通信部４５も同様にバスを介してＣＰＵ４０１に接続されている。さらに、位置検出用リング２４の電気抵抗体１４４（図７参照）に接続して、電気抵抗体１４４の電圧を計測する電圧計測部４８が設けられている。そして、スレーブペーパ４がどの位置に配置されているかを検出するために電圧計測部４８に接続し、計測された電圧をＡ／Ｄ変換する位置検出部４７もＣＰＵ４１にバスを介して接続されている。なお、位置検出部４７が本発明の位置検出手段に相当する。
【００８１】
次に、図１０を参照して、マスタペーパ３のＲＡＭ３３について説明する。図１０に示すように、ＲＡＭ３３には、ページデータ展開領域３３１，メモリカードアクセス用ワークエリア３３２，ペーパ順序管理テーブル記憶エリア３３３，一時表示データ記憶エリア３３４，旧ペーパ順序管理テーブル記憶エリア３３５，接続ペーパ数記憶エリア３３６，コンテンツページ数記憶エリア３３７，表示開始ページ番号記憶エリア３３８，開始ペーパ順序番号記憶エリア３３９，書換えページ数記憶エリア３４０，送信先製造番号記憶エリア３４１，走査製造番号記憶エリア３４２，一時表示ページ番号記憶エリア３４３，表示更新フラグ記憶エリア３４４，ページ番号オフセット記憶エリア３４５，追加電子ペーパ製造番号記憶エリア３４６，走査位置記憶エリア３４７，追加電子ペーパ順序番号記憶エリア３４８，表示ペーパ順序番号記憶エリア３４９等が設けられている。なお、ＲＡＭ３３にはこれ以外の記憶エリアも設けられている。
【００８２】
ページデータ展開領域３３１には、表示部３６に表示する表示用データが記憶され、メモリカードアクセス用ワークエリア３３２は、メモリカード３７へのアクセス時に一時使用領域として使用される。そして、ペーパ順序管理テーブル記憶エリア３３３には、表示装置１に綴じられている電子ペーパ５の順序や電子ペーパ５にコンテンツのどのページが表示されるかを記したペーパ順序管理テーブル（図１１参照）が記憶され、旧ペーパ順序管理テーブル記憶エリア３３５には、ペーパ順序管理テーブルを更新する際に、更新前のテーブルが記憶される。そして、一時表示データ記憶エリア３３４には、スレーブペーパ４が追加された際に、追加された追加電子ペーパの表示部４６に表示されていたコンテンツを、表示装置１にもともと綴じられている電子ペーパ５へ表示するための画像データが記憶される。
【００８３】
そして、接続ペーパ数記憶エリア３３６には、表示装置１に綴じられている電子ペーパ５の数が記憶され、コンテンツページ数記憶エリア３３７には、メモリカード３７から読み出され、表示部３６，４６に表示されているコンテンツの総ページ数が記憶される。表示開始ページ番号記憶エリア３３８には、表示されるコンテンツにおいて、表示部３６，４６に表示される最初のページ番号が記憶され、開始ペーパ順序番号記憶エリア３３９には、電子ペーパ５の表示部３６，４６の表示を更新する際に、どのペーパ順序番号の電子ペーパ５から表示の更新をするかを指定するかを示す値が記憶され、書換えページ数記憶エリア３４０には、電子ペーパ５の表示部３６，４６の表示を更新する際に、何ページ分のコンテンツのページを更新するかを示す値が記憶される。
【００８４】
そして、送信先製造番号記憶エリア３４１には、スレーブペーパ４へ表示させる画像を送信する際に、送信先のスレーブペーパ４を示す製造番号が記憶される。走査製造番号記憶エリア３４２には、電子ペーパ５が捲られたか否かを判断する際に使用される。追加電子ペーパ製造番号記憶エリア３４６には、追加電子ペーパの製造番号が記憶される。一時表示ページ番号記憶エリア３４３，表示更新フラグ記憶エリア３４４，ページ番号オフセット記憶エリア３４５，追加電子ペーパ製造番号記憶エリア３４６，追加電子ペーパ順序番号記憶エリア３４８，表示ペーパ順序番号記憶エリア３４９は、一時表示用ページ表示処理（図１８参照）において使用される。一時表示ページ番号記憶エリア３４３は、表示させるページ番号を示すために使用され、表示更新フラグ記憶エリア３４４には、すべてのページが表示されたか否かの判断に使用され、ページ番号オフセット記憶エリア３４５は追加電子ペーパからどれだけ離れた位置の電子ペーパ５に表示させるかを指定するために使用され、追加ページ順序番号記憶エリア３４８には、追加電子ペーパの表示装置１内での綴じ位置を示す順序番号が記憶される。さらに、ＲＡＭ３３には、「応答待ちタイマ」の記憶領域が設けられている。この「応答待ちタイマ」は、タイマをセットする時刻に計測する時間が加算された値、すなわち、タイマによる計測が完了する時刻が記憶される。
【００８５】
次に、図１１を参照してペーパ順序管理テーブル記憶エリア３３３に記憶された表示ページ順序管理テーブルについて説明する。ページ順序管理テーブルには、綴じられている電子ペーパ５の順序を示すペーパ順序番号欄，各電子ペーパ５の製造番号である製造番号欄，その電子ペーパ５の位置情報を０〜２５５の値で示す環内位置欄，その電子ペーパ５に表示されているコンテンツのページを示す表示中ページ番号欄が設けられている。製造番号欄に記憶される値は、各電子ペーパ５のＥＥＰＲＯＭ５５に記憶されている、電子ペーパ５を識別するための番号である。
【００８６】
図１１に示す例は、図１及び図２に示したように、スレーブペーパ４が４枚、その後ろにマスタペーパ３が１枚綴じられており、１枚目のスレーブペーパ４にコンテンツの１ページ目が表示され、続いて２ページ目、３ページ目、４ページ目、５ページ目が表示されている状態のペーパ順序管理テーブル３３３１である。図１１に示すように、ペーパ順序番号が「１」の電子ペーパ５は、製造番号が「Ｓ００２３４」であり、環内位置は「１２４」、表示中ページ番号は「１」であり、ペーパ順序番号が「２」の電子ペーパ５は、製造番号が「Ｓ０４０５８」であり、環内位置は「１２５」、表示中ページ番号は「２」であり、ペーパ順序番号が「３」の電子ペーパ５は、製造番号が「Ｓ４８２２４」であり、環内位置は「１２６」、表示中ページ番号は「３」であり、ペーパ順序番号が「４」の電子ペーパ５は、製造番号が「Ｓ１９５０９」であり、環内位置は「１２７」、表示中ページ番号は「４」であり、ペーパ順序番号が「５」の電子ペーパ５は、製造番号が「Ｍ００００１」であり、環内位置は「１２８」、表示中ページ番号は「５」である。
【００８７】
次に、図１２を参照して、スレーブペーパ４のＲＡＭ４３について説明する。図１２に示すように、ＲＡＭ４３には、位置検出部４７の検出結果である位置情報を記憶する接続位置記憶エリア４３１，表示部４６に表示する表示用データを格納するためのページデータ展開領域４３３，図示外のその他の記憶領域が設けられている。
【００８８】
次に、図１３を参照して、スレーブペーパ４のＥＥＰＲＯＭ４４について説明する。図１３に示すように、ＥＥＰＲＯＭ４４には、スレーブペーパ４の製造番号を記憶した製造番号記憶エリア４４１と、表示部４６に表示されているコンテンツのページ番号を記憶する表示中ページ番号記憶エリア４４３とが設けられている。製造番号記憶エリア４４１に記憶された製造番号は、それぞれのスレーブペーパ４に固有の番号であり、他のスレーブペーパ４から一意に識別できるスレーブペーパ４の識別情報である。
【００８９】
次に、図９９を参照して、ＦｌａｓｈＲＯＭ４９について説明する。図９９に示すように、ＦｌａｓｈＲＯＭ４９には、スレーブペーパ４の表示部４６に表示されているコンテンツ全体の画像情報を記憶したコンテンツ情報記憶エリア４４２が設けられている。
【００９０】
次に、図１４乃至図２３のフローチャートを参照して、マスタペーパ３のＣＰＵ３１で行われるマスタペーパメイン処理について説明する。図１４は、マスタペーパメイン処理のフローチャートであり、図１５は、マスタペーパメイン処理で実施されるペーパ情報収集処理のフローチャートであり、図１６は、マスタペーパメイン処理で実施されるコンテンツ情報送信処理のフローチャートであり、図１７は、マスタペーパメイン処理で実施されるデータ表示処理のフローチャートであり、図１８は、マスタペーパメイン処理で実施される一時表示用ページ表示処理のフローチャートであり、図１９は、マスタペーパメイン処理で実施される一時表示用ページ表示処理のフローチャートであり、図１８に示したフローチャートの続きである。そして、図２０は、マスタペーパメイン処理で実施されるページ更新処理のフローチャートであり、図２１は、ページ更新処理で実施される先頭ページ位置走査処理のフローチャートであり、図２２は、ページ更新処理で実施される後端ページ位置走査処理のフローチャートであり、図２３は、ページ更新処理で実施される複数ページ位置検出処理のフローチャートであり、図２４は、マスタペーパメイン処理で実施されるコンテンツ情報取得処理のフローチャートである。
【００９１】
図１４に示すマスタペーパメイン処理は、表示装置１に電源が投入されると開始される。ここで、マスタペーパ３，スレーブペーパ４間で使用されるコマンドについて説明する。本発明に関係するマスタペーパ３からスレーブペーパ４へ送信されるコマンドは、「ＲＥＱＩＤ」コマンド、「ＲＥＱＷＲＩＴＥ」コマンド、「ＲＥＱＤＡＴＡ」コマンド，「ＲＥＱＣＯＮＴＥＮＴＳ」コマンドの４種類であり、スレーブペーパ４からマスタペーパ３へ送信されるコマンドは「ＳＥＮＤＩＤ」コマンド、「ＳＥＮＤＤＯＮＥ」コマンド、「ＳＥＮＤＤＡＴＡ」コマンド、「ＳＥＮＤＣＯＮＴＥＮＴＳ」コマンドの４種類である。これらのコマンドは、通信用リング２３を介してマスタペーパ３，スレーブペーパ４間を授受される。
【００９２】
これらのコマンドは、（電子ペーパの種類，宛先位置，宛先製造番号，コマンド種類，添付データ）というフォーマットのデータとして送信される。「電子ペーパの種類」には、マスタペーパ３を示す「Ｍ」又はスレーブペーパ４を示す「Ｓ」がセットされる。「宛先位置」には、スレーブペーパ４へ送信されるコマンドである場合に、スレーブペーパ４の位置検出用リング２４における接続位置がセットされ、「宛先製造番号」には、スレーブペーパ４へ送信されるコマンドである場合に、スレーブペーパ４の製造番号がセットされる。そして、「コマンド種類」には「ＲＥＱＩＤ」，「ＲＥＱＷＲＩＴＥ」，「ＲＥＱＤＡＴＡ」といったコマンドを示すアルファベットがセットされ、「添付データ」にはそれぞれのコマンドに応じたデータがセットされる。
【００９３】
「ＲＥＱＩＤ」コマンドは、指定されている走査位置に配置されているスレーブペーパ４に対して、製造番号の送信を要求するものである。スレーブペーパ４では、指定された走査位置が位置検出部４６により検出された値と同じである場合に、自身の製造番号を「ＳＥＮＤＩＤ」コマンドに載せてマスタペーパ３へ送信する。「ＲＥＱＩＤ」コマンドは（Ｓ，要求先のスレーブペーパ４の走査位置，＊，ＲＥＱＩＤ）のフォーマットのデータとして送信される。添付データはない。そして、「ＳＥＮＤＩＤ」コマンドは（Ｍ，＊，＊，ＳＥＮＤＩＤ，製造番号）のフォーマットのデータとして送信される。「製造番号」には本コマンドを送信するスレーブペーパ４の製造番号がセットされる。
【００９４】
そして、「ＲＥＱＷＲＩＴＥ」コマンドは、スレーブペーパ４の表示部４６に表示させるコンテンツのページの画像データを送信するためのものである。そして、このコマンドを受けたスレーブペーパ４では、画像データを表示部４６に表示させことを知らせるために「ＳＥＮＤＤＯＮＥ」コマンドをマスタペーパ３する。「ＲＥＱＷＲＩＴＥ」コマンドは、（Ｓ，＊，送信先のスレーブペーパ４の製造番号，ＲＥＱＷＲＩＴＥ，展開データ）のフォーマットのデータとして送信される。そして、添付データとして表示させる画像の「展開データ」がセットされる。そして、「ＳＥＮＤＤＯＮＥ」コマンドは、（Ｍ，＊，＊，ＳＥＮＤＤＯＮＥ，ＮＵＬＬ）のフォーマットのデータとしマスタペーパ３へて送信される。そして、添付データには、表示が正常に終了したことを示す「ＮＵＬＬ」がセットされる。
【００９５】
そして、「ＲＥＱＤＡＴＡ」コマンドは、コンテンツ情報をスレーブペーパ４に送信するためのものである。本実施の形態では、「コンテンツ情報」をコンテンツの全ページの展開データとする。そして、このコマンドを受けたスレーブペーパ４では、コンテンツ情報をＦｌａｓｈＲＯＭ４９のコンテンツ情報記憶エリア４４２に記憶する。「ＲＥＱＤＡＴＡ」コマンドは、（Ｓ，＊，送信先のスレーブペーパ４の製造番号，ＲＥＱＤＡＴＡ，全ページの展開データ）のフォーマットのデータとして送信される。そして、「ＳＥＮＤＤＡＴＡ」コマンドは、（Ｍ，＊，＊，ＳＥＮＤＤＡＴＡ，ＮＵＬＬ）のフォーマットのデータとしてマスタペーパ３へ送信される。そして、添付データには、表示が正常に終了したことを示す「ＮＵＬＬ」がセットされる。
【００９６】
そして、「ＲＥＱＣＯＮＴＥＮＴＳ」コマンドは、コンテンツ情報を追加電子ペーパから取得するためのものである。「ＲＥＱＣＯＮＴＥＮＴＳ」コマンドを受けたスレーブペーパ４では、ＦｌａｓｈＲＯＭ４９のコンテンツ情報記憶エリア４４２に記憶されているコンテンツ情報及び表示中ページ番号記憶エリア４４３に記憶されているページ番号を、「ＳＥＮＤＣＯＮＴＥＮＴＳ」コマンドに載せてマスタペーパ３へ送信する。「ＲＥＱＣＯＮＴＥＮＴＳ」コマンドは、（Ｓ，＊，追加電子ペーパの製造番号，ＲＥＱＣＯＮＴＥＮＴＳ）のフォーマットのデータとして送信され、「ＳＥＮＤＣＯＮＴＥＮＴＳ」コマンドは（Ｍ，＊，＊，ＳＥＮＤＣＯＮＴＥＮＴＳ，コンテンツ情報及びページ番号）のフォーマットのデータとして送信される。
【００９７】
では、図１４のフローチャートを参照して、マスタペーパメイン処理について説明する。まず、表示開始ページ番号記憶エリア３３８に設けられている「表示開始ページ番号」に初期値の「１」が記憶される（Ｓ１）。これは、表示装置１に綴じられている１枚目の電子ペーパ５（一番上にある電子ペーパ５）から画像を表示させることを指示するものである。そして、ペーパ情報収集処理が行われる（Ｓ２、図１５参照）。ここでは、位置検出用リング２４を用いて、表示装置１に綴じ部材２により綴じられているスレーブペーパ４の製造番号を取得し、綴じられている電子ペーパ５の枚数及び順序を取得して、ペーパ順序管理テーブル記憶エリア３３３にペーパ順序管理テーブルを作成する。
【００９８】
ここで、図１５のフローチャートを参照して、ペーパ情報収集処理について説明する。まず、走査位置記憶エリア３４７に設けられている「走査位置」に初期値の「０」、接続ペーパ数記憶エリア３３６に設けられている「接続ペーパ数」に初期値の「１」が記憶され、ペーパ順序管理テーブルの製造番号欄に自身のＥＥＰＲＯＭ３４に記憶されている製造番号が記憶され、環内位置に「１２８」が記憶される（Ｓ３１）。走査位置は、位置検出用リング２４の走査位置を「０」〜「２５５」まで走査するための変数であり、初期値として「０」が与えられている。そして、接続ペーパ数には、自身のマスタペーパ３を計数して「１」が記憶される。
【００９９】
そして、応答待ちタイマがリセットされる（Ｓ３２）。この応答待ちタイマには、現在の時刻に計測時間を足した値がセットされる。そして、ＲＥＱＩＤコマンドが送信される（Ｓ３３）。ここでは、「走査位置」の値「０」に配置されているスレーブペーパ４に対して送信される。走査位置「０」にスレーブペーパ４が配置されていれば、そのスレーブペーパ４から製造番号を載せたＳＥＮＤＩＤコマンドが返送されてくるが、スレーブペーパ４が配置されていなければ、いずれのスレーブペーパ４からの応答もない。
【０１００】
そこで、スレーブペーパ４からＳＥＮＤＩＤコマンドを受信すれば、応答があったとし、スレーブペーパ４が配置されているとして（Ｓ３４：ＹＥＳ）、ページ順序管理テーブルにスレーブペーパ４に関する情報、すなわち、ＳＥＮＤＩＤコマンドに載せられていた製造番号及び「走査位置」の示す値「０」がそれぞれ製造番号欄及び環内位置欄に記憶される（Ｓ３５）。そして、接続ペーパ数記憶エリア３３６に設けられている「接続ペーパ数」に「１」が加算される（Ｓ３６）。一方、スレーブペーパ４から応答（ＳＥＮＤＩＤコマンドの受信）がなければ（Ｓ３４：ＮＯ）、応答待ちタイマの時刻と現在の時刻を比較し、待ち時間を経過したか否かの判断が行われる（Ｓ４０）。応答待ちタイマの時刻が現在の時刻よりも後であり、待ち時間が経過していなければ（Ｓ４０：ＮＯ）、Ｓ３４へ戻り、スレーブペーパ４からの応答の判断が行われる（Ｓ３４）。そして、繰り返しＳ３４，Ｓ４０の処理が行われ、現在の時刻が応答待ちタイマの時刻よりも後であり、待ち時間を経過したら（Ｓ４０：ＹＥＳ）、その走査位置にはスレーブペーパ４が配置されていないとして、そのままＳ３７へ進む。
【０１０１】
次いで、次の走査位置に対して問い合わせをするために、「走査位置」に「１」が加算され「１」とされる（Ｓ３７）。そして、「走査位置」が走査位置の最大数である「２５５」より上であるか否かの判断が行われる（Ｓ３８）。まだ走査位置は「１」であり、「２５５」より上でないので（Ｓ３８：ＮＯ）、Ｓ３２へ戻り、新たに応答待ちタイマがセットされ（Ｓ３２）、ＲＥＱＩＤコマンドが送信される（Ｓ３３）。そして、Ｓ３２〜Ｓ３８の処理が繰り返し実施され、「走査位置」が「２５５」より上となったら（Ｓ３８：ＹＥＳ）、位置検出用リング２４に綴じられているすべての電子ペーパ５の情報がページ順序管理テーブルに記憶され、「接続ペーパ数」も計数されたことになる。ここでは、図１に示す例のように「接続ペーパ数」は「５」として説明する。そこで、ページ順序管理テーブルに記憶されている情報が環内位置欄の値の昇順でソートされる（Ｓ３９）。つまり、環内位置の値の小さい順に並べ替えられる。そして、ペーパ順序決定処理は終了し、マスタペーパメイン処理へ戻る。
【０１０２】
そして、図１４に示すように、マスタペーパメイン処理では、ペーパ情報収集処理が終了すると（Ｓ２）、表示開始ページ番号記憶エリア３３８に設けられている「表示開始ページ番号」の示す番号から順に、ページ順序管理テーブルのペーパ順序番号欄にペーパ順序番号が割り当てられる（Ｓ３）。Ｓ１において、「表示開始ページ番号」は「１」とされているので、ペーパ順序管理テーブルでは、環内位置の値の小さい順にペーパ順序番号が「１」，「２」，「３」・・・と割り当てられることとなる。そして、開始ペーパ順序番号記憶エリア３３９に設けられている「開始ペーパ順序番号」に初期値の「１」が記憶され、書換えページ数記憶エリア３４０に設けられている「書換えページ数」に接続ペーパ数記憶エリア３３６に記憶されている「接続ペーパ数」が記憶される（Ｓ４）。つまり、「１」枚目の電子ペーパ５から、全電子ペーパ５に表示が行われることとなる。
【０１０３】
そして、コンテンツ情報送信処理が行われる（Ｓ５、図１６参照）。このコンテンツ情報送信処理では、表示装置１に綴じられているスレーブペーパ４に対して、これから表示させるコンテンツ（メモリカード３７に記憶されているコンテンツ、又は、追加電子ペーパに表示されているコンテンツ）の全ページの展開データが送信される。これは、スレーブペーパ４が抜き取られて、他の表示装置に追加された際に、そのスレーブペーパ４に表示されているページ以外のページをその他の表示装置に綴じられている電子ペーパ５に表示させるためのものである。以下、ここでマスタペーパ３からスレーブペーパ４へ送信されるこれから表示されるコンテンツの全ページの展開データを「コンテンツ情報」ということとする。
【０１０４】
ここで、図１６のフローチャートを参照して、コンテンツ情報送信処理について説明する。図１６に示すように、まず、変数ｉに初期値の「０」が記憶される（Ｓ５１）。この変数ｉは、ＲＡＭ３３の図示外の記憶エリアに記憶領域が設けられている。そして、変数ｉに「１」が加算され「１」とされる（Ｓ５２）。そして、変数ｉの値が接続ペーパ数記憶エリア３３６に記憶されている「接続ペーパ数」よりも大きくなったか否かの判断が行われる（Ｓ５３）。まだ変数ｉは「１」なので、「接続ペーパ数」である「５」よりも大きくないので（Ｓ５３：ＮＯ）、ｉ番目のペーパ順序番号の電子ペーパ５の製造番号がペーパ順序管理テーブルから読み出され、送信先製造番号記憶エリア３４１に「送信先製造番号」として記憶される（Ｓ５４）。そして、「送信先製造番号」によりマスタペーパ３であるか否かの判断が行われる（Ｓ５５）。「送信先製造番号」が「Ｍ」で始まる番号である場合には、マスタペーパ３であるので（Ｓ５５：ＹＥＳ）、全ページの展開データを送信するコマンドを送る必要はない。そこで、Ｓ５２へ戻る。
【０１０５】
図１１に示す例では、「送信先製造番号」は「Ｓ０２３４」であり「Ｓ」で始まるので、マスタペーパ３でなくスレーブペーパ４である（Ｓ５５：ＮＯ）。そこで、追加電子ペーパがあるか否かの判断が行われる（Ｓ５６）。追加電子ペーパがあれば（Ｓ５６：ＹＥＳ）、この後に追加電子ペーパに表示されているコンテンツが表示されるので、「コンテンツ情報」として、全ページの展開データをスレーブペーパ４に送信する必要があるが、追加電子ペーパがなければ（Ｓ５６：ＮＯ）、メモリカード３７に記憶されているコンテンツが表示されるので、「コンテンツ情報」としてメモリカード３７に記憶されているコンテンツの全ページの展開データが送信される。ここでは、メイン処理のＳ５で行われているコンテンツ情報送信処理であり、表示装置１の起動時に行われている処理であるので、追加電子ペーパは存在しない。なお、Ｓ５６において、追加電子ペーパがあるか否かの判断は、追加電子ペーパに表示されているコンテンツの全ページの展開データが一時表示データ記憶エリア３３４に記憶されているか否かにより判断される。この追加電子ペーパに表示されているコンテンツの全ページの展開データ（以下、「一時表示データ」という）は、追加電子ペーパが検出された際に記憶される（Ｓ５６：ＹＥＳ、Ｓ５８）。
【０１０６】
そして、追加電子ペーパはなければ（Ｓ５６：ＮＯ）、ＲＥＱＤＡＴＡコマンドが「送信先製造番号」を宛先として、メモリカード３７に記憶されているコンテンツの全ページの展開データを添付データとして送信される（Ｓ５７）。そして、スレーブペーパ４からの応答コマンドの受信処理が行われる（Ｓ５９）。なお、スレーブペーパ４では、ＲＥＱＤＡＴＡコマンドを受信すると、受信した添付データをＦｌａｓｈＲＯＭ４９のコンテンツ情報記憶エリア４４２に記憶している。そして、ＳＥＮＤＤＡＴＡコマンドをマスタペーパ３へ送信している（図２９、Ｓ３１１〜Ｓ３１３参照）。そして、マスタペーパ３では、応答コマンドとしてＳＥＮＤＤＡＴＡコマンドを受信したら、Ｓ５２へ戻る。なお、応答コマンドを受信できなかった場合には、エラー処理が行われる。たとえば、ＲＥＱＤＡＴＡコマンドの再送などである。
【０１０７】
そして、Ｓ５２へ戻ると、変数ｉに「１」が加算されて「２」とされる（Ｓ５２）。そして、繰り返しＳ５２〜Ｓ５９の処理が行われ、変数ｉが「接続ペーパ数」よりも大きくなったら（Ｓ５３：ＹＥＳ）、表示装置１に綴じられているすべての表示装置１にコンテンツ情報が送信されているので、マスタペーパメイン処理へ戻る。
【０１０８】
図１４に示すように、マスタペーパメイン処理では、コンテンツ情報送信処理が終了すると（Ｓ５）、データ表示処理が行われる（Ｓ６、図１７参照）。このデータ表示よりでは、「開始ペーパ順序番号」の指定する電子ペーパ５から、「書換えページ数」の指定する枚数の電子ペーパ５への表示が更新される。ここでは、表示装置１の起動時のデータ表示処理であるので、Ｓ４にて、「開始ペーパ順序番号」は「１」、「書換えページ数」は「接続ペーパ数（５）」とされている。よって、ここで行われるデータ表示処理では、すべての電子ペーパ５の表示が行われる。
【０１０９】
ここで、図１７のフローチャートを参照して、データ表示処理について説明する。図１７に示すように、まず、「書換えページ数」が「０」以下となったか否かの判断が行われる（Ｓ７１）。まだ、「書換えページ数」は「５」であるので（Ｓ７１：ＮＯ）、一時表示データ記憶エリア３３４にデータが記憶されているか否かの判断が行われる（Ｓ７２）。ここで行われているデータ表示処理は、表示装置１の起動時に行われている処理であるので、追加電子ペーパは存在しないため、一時表示データ記憶エリア３３４にも追加電子ペーパに表示されているコンテンツの全ページの展開データは記憶されていない（Ｓ７２：ＮＯ）。そこで、ペーパ順序管理テーブルから「開始ペーパ順序番号」の「表示中ページ番号」が読み出され、そのページの展開データがメモリカード３７読み出され、ページデータ展開領域３３１に記憶される（Ｓ７３）。ここでは、図１１に示す例では、１番目の「表示中ページ番号」は「１」であるので、１ページ目の展開データが、１枚目の電子ペーパ５に表示されるデータとして、ページデータ展開領域３３１に記憶される。
【０１１０】
そして、「開始ペーパ順序番号」の「製造番号」が自身のＥＥＰＲＯＭ３４に記憶されている製造番号と一致するか否かの判断が行われる（Ｓ７５）。一致する場合には（Ｓ７５：ＹＥＳ）、スレーブペーパ４でなく、自身のマスタペーパ３に表示することになるので、ＲＥＱＷＲＩＴＥコマンドの送信の必要はなく、ページデータ展開領域３３１の展開データが表示部３６に表示される（Ｓ７６）。一方、一致しない場合には（Ｓ７５：ＮＯ）、スレーブペーパ４へ表示することになるので、ＲＥＱＷＲＩＴＥコマンドが送信され（Ｓ７７）、応答受信処理が行われる（Ｓ７８）。図１１に示す例では、１番目の「製造番号は「Ｓ００２３４」であり、自身の製造番号「Ｍ００００１」とは一致しないので（Ｓ７５：ＹＥＳ）、送信先に「Ｓ００２３４」、添付データに１ページ目の展開データがセットされたＲＥＱＷＲＩＴＥコマンドが送信される。
【０１１１】
そして、「書換えページ数」から「１」減算されて、「４」とされる（Ｓ７９）。そして、「開始ペーパ順序番号」には「１」が加算されて「２」とされる（Ｓ８０）。そして、「開始ペーパ順序番号」の値が「接続ペーパ数」と比較される（Ｓ８１）。「開始ペーパ順序番号」が「接続ペーパ数」よりも大きくなければ（Ｓ８１：ＮＯ）、そのままＳ７１へ戻る。また、「開始ペーパ順序番号」が「接続ペーパ数」より大きければ（Ｓ８１：ＹＥＳ）、次の先頭の電子ペーパ５の表示を行う必要があるので、「開始ペーパ順序番号」に「１」が記憶される（Ｓ８２）。そして、Ｓ７１へ戻る。
【０１１２】
そして、Ｓ７１〜Ｓ８２の処理が繰り返し実施され、表示の更新をすべきすべての電子ペーパ５の表示が行われ、「書換えページ数」が「０」以下となったら（Ｓ７１：ＹＥＳ）、本処理は終了し、メイン処理へ戻る。図１４に示すように、Ｓ１〜Ｓ６までの処理が行われて、表示装置１における起動時の表示処理が終了する。
【０１１３】
そして、綴じ部材２が開閉されたか否かの判断が行われる（Ｓ７）。これは、位置検出用リング２４の開閉部１４９の端部１４９１に設けられているスイッチ１４８がＯＦＦとなり、その後、ＯＮとなった信号を受信したか否かにより行われる。綴じ部材２が開閉されていなければ（Ｓ７：ＮＯ）、ページが捲られた場合の表示更新の処理（Ｓ２９、図２０乃至図２３参照）のみ行えばよい。
【０１１４】
ここで、図２０乃至図２３のフローチャートを参照して、ページ更新処理について説明する。図２０に示すように、まず、ペーパ順序管理テーブル記憶エリア３３３に記憶されているペーパ順序管理テーブルが旧ペーパ順序管理テーブル記憶エリア３３５にコピーされる（Ｓ２０１）。そして、ペーパ情報収集処理が行われる（Ｓ２０２、図１５参照）。このペーパ情報収集処理については、Ｓ２で行われた処理と同様であり、図１５を参照して前述しているので、説明を引用して省略する。ここで、現在の表示装置１において綴じられている電子ペーパ５についてのペーパ順序管理テーブルが新たに作成される。
【０１１５】
そして、先頭ページ位置走査処理が行われる（Ｓ２０３、図２１参照）。この先頭ページ位置走査処理では、１枚目の電子ペーパ５のみが捲られた場合に行われる。この時点でのペーパ順序管理テーブルが図２５に示すペーパ順序管理テーブル３３３２である。図２１に示すように、まず、走査製造番号記憶エリア３４２に設けられている「走査製造番号」に、旧ペーパ順序管理テーブルの１番目の製造番号が記憶される（Ｓ２１１）。つまり、前回、１枚目にあった電子ペーパ５の製造番号が取得される。図１１に示す例では、「Ｓ００２３４」である。そして、ペーパ順序管理テーブルから「走査製造番号」の「ペーパ順序番号」が読み出され、「接続ペーパ数」と一致するか否かの判断が行われる（Ｓ２１２）。これは、前回、１枚目にあった電子ペーパ５が、現在、「接続ペーパ数」枚目すなわち最後にあるか否かの判断が行われている。
【０１１６】
図２５に示すように、１枚だけ捲られている状態では、「Ｓ００２３４」のペーパ順序番号は「５」であり、接続ペーパ数の「５」であり、一致する（Ｓ２１２：ＹＥＳ）。そこで、ペーパ順序管理テーブルの最後のデータの「表示中ページ番号」が１つ前のデータの「表示中ページ番号」に「１」を加算した値に更新される（Ｓ２１４）。つまり、「５」に「１」が加算されて「６」とされる。そして、「開始ペーパ順序番号」に「１」が加算される（Ｓ２１５）。ここでは「１」に「１」が加算されて「２」とされる。そして、ペーパ順序管理テーブルの最後の「表示中ページ番号」がコンテンツページ数記憶エリア３３７に記憶されている「コンテンツページ数」よりも大きいか否かの判断が行われる（Ｓ２１６）。
【０１１７】
最後の「表示中ページ番号」が「コンテンツページ数」よりも大きければ（Ｓ２１６：ＹＥＳ）、最後の電子ペーパ５に表示させるページはないので、「開始ペーパ順序番号」に「接続ペーパ数」が記憶され、「書換えページ数」に最後の電子ペーパ５のみを示す「１」が記憶され、ペーパ順序管理テーブルの最後の「表示中ページ番号」にはコンテンツ終了を示す画面を表示させるコードが記憶される（Ｓ２１８）。なお、最後の「表示中ページ番号」が「コンテンツページ数」よりも大きくなければ（Ｓ２１６：ＮＯ）、そのまま、記憶されているページ番号のページを表示させることができるので、「開始ペーパ順序番号」に「接続ペーパ数」が記憶され、「書換えページ数」に最後の電子ペーパ５のみを示す「１」が記憶される（Ｓ２１７）。そして、ページ更新処理へ戻る。
【０１１８】
一方、「走査製造番号」の「ペーパ順序番号」と「接続ペーパ数」とが一致しなければ（Ｓ２１２：ＮＯ）、１枚目の電子ペーパ５が捲られただけの状態でないので、「書換えページ数」に「０」が記憶され（Ｓ２１３）、本処理は終了して、ページ更新処理へ戻る。
【０１１９】
そして、図２０に示すように、ページ更新処理では、ページ捲りがあったか否かの判断が行われる（Ｓ２０４）。「書換えページ数」に「０」より大きい値が記憶されていれば、ページ捲りがあったと判断される（Ｓ２０４：ＹＥＳ）。ペーパ順序管理テーブルが図２５に示したペーパ順序管理テーブル３３３２のような状態であれば、「書換えページ数」に「１」が記憶されているので、ページ捲りがあったと判断され（Ｓ２０４：ＹＥＳ）、データ表示処理が行われる（Ｓ２０９、図１７）。そして、ページ更新処理は終了し、メイン処理へ戻る。また、Ｓ２０２で作成されたペーパ順序管理テーブルが図２５に示したような状態でなければ、ページ捲りはあったと判断されない（Ｓ２０４：ＮＯ）。そこで、次に、後端ページ位置走査処理が行われる（Ｓ２０５、図２２参照）。
【０１２０】
この後端ページ位置走査処理は、最後の電子ペーパ５が１枚目となっている場合に行われる。つまり、最後の電子ペーパ５がページを戻す方向に捲られた場合である。ここでは、例として、図２５に示したペーパ順序管理テーブル３３３２の状態から最後の電子ペーパ５が戻された場合を考える。この時点でのペーパ順序管理テーブルが図２６に示すペーパ順序管理テーブル３３３３である。図２２に示すように、まず、走査製造番号記憶エリア３４２に設けられている「走査製造番号」に、旧ペーパ順序管理テーブルの最後の製造番号が記憶される（Ｓ２３１）。つまり、前回、最後にあった電子ペーパ５の製造番号が取得される。図１１に示す例では、「Ｓ００２３４」である。そして、ペーパ順序管理テーブルから「走査製造番号」の「ペーパ順序番号」が読み出され、「１」と一致するか否かの判断が行われる（Ｓ２３２）。これは、前回、最後にあった電子ペーパ５が、現在、１枚目にあるか否かの判断が行われている。
【０１２１】
図２６に示すように、最後の電子ペーパ５が１枚目とされている状態では、「Ｓ００２３４」のペーパ順序番号は「１」であり、「１」と一致する（Ｓ２３２：ＹＥＳ）。そこで、ペーパ順序管理テーブルの最後のデータの「表示中ページ番号」が１つ後のデータの「表示中ページ番号」から「１」減算した値に更新される（Ｓ２３４）。つまり、「２」から「１」減算されて「１」とされる。そして、「開始ペーパ順序番号」から「１」減算される（Ｓ２３５）。ここでは「２」から「１」が加算されて「２」とされる。そして、ペーパ順序管理テーブルの最後の「表示中ページ番号」が「１」よりも小さいか否かの判断が行われる（Ｓ２３６）。
【０１２２】
最後の「表示中ページ番号」が「１」よりも小さければ（Ｓ２３６：ＹＥＳ）、最後の電子ペーパ５に表示させるページはないので、「開始ペーパ順序番号」に「１」が記憶され、「書換えページ数」に１枚目の電子ペーパ５のみを示す「１」が記憶され、ペーパ順序管理テーブルの最初の「表示中ページ番号」にはコンテンツ開始を示す画面を表示させるコードが記憶され、表示開始ページ番号には「０」が記憶される（Ｓ２３８）。なお、最後の「表示中ページ番号」が「１」よりも小さくなければ（Ｓ２３６：ＮＯ）、そのまま、記憶されているページ番号のページを表示させることができるので、「開始ペーパ順序番号」に「１」が記憶され、「書換えページ数」に最後の電子ペーパ５のみを示す「１」が記憶される（Ｓ２３７）。そして、ページ更新処理へ戻る。
【０１２３】
一方、「走査製造番号」の「ペーパ順序番号」と「１」とが一致しなければ（Ｓ２３２：ＮＯ）、最後の電子ペーパ５が戻された状態でないので、「書換えページ数」に「０」が記憶され（Ｓ２３３）、本処理は終了して、ページ更新処理へ戻る。
【０１２４】
そして、図２０に示すように、ページ更新処理では、ページ捲りがあったか否かの判断が行われる（Ｓ２０６）。「書換えページ数」に「０」より大きい値が記憶されていれば、ページ捲りがあったと判断される（Ｓ２０６：ＹＥＳ）。ペーパ順序管理テーブルが図２６に示したペーパ順序管理テーブル３３３３のような状態であれば、「書換えページ数」に「１」が記憶されているので、ページ捲りがあったと判断され（Ｓ２０６：ＹＥＳ）、データ表示処理が行われる（Ｓ２０９、図１７）。そして、ページ更新処理は終了し、メイン処理へ戻る。また、Ｓ２０２で作成されたペーパ順序管理テーブルが図２６に示したような状態でなければ、ページ捲りはあったと判断されない（Ｓ２０６：ＮＯ）。そこで、次に、複数ページ位置走査処理が行われる（Ｓ２０７、図２３参照）。
【０１２５】
この複数ページ位置走査処理は、複数の電子ペーパ５が捲られている場合に処理が行われる。つまり、最後の電子ペーパ５がページを戻す方向に捲られた場合である。ここでは、例として、図１１に示したペーパ順序管理テーブル３３３１の状態から２枚の電子ペーパ５が捲られた場合を考える。この時点でのペーパ順序管理テーブルが図２７に示すペーパ順序管理テーブル３３３４である。図２３に示すように、まず、走査製造番号記憶エリア３４２に設けられている「走査製造番号」に、旧ペーパ順序管理テーブルの最後の製造番号が記憶される（Ｓ２５１）。つまり、前回、最後にあった電子ペーパ５の製造番号が取得される。図１１に示す例では、「Ｍ００００１」である。そして、ペーパ順序管理テーブル及び旧ペーパ順序管理テーブルから「走査製造番号」の「ペーパ順序番号」がそれぞれ読み出され、値が一致するか否かの判断が行われる（Ｓ２５２）。これは、電子ペーパ５が捲られており、各電子ペーパ５の位置に変化があったか否かの判断が行われている。
【０１２６】
図２７に示すように、２枚の電子ペーパ５が捲られている状態では、ペーパ順序管理テーブルの「Ｍ００００１」のペーパ順序番号は「３」であり、旧ペーパ順序管理テーブルの「Ｍ００００１」のペーパ順序番号は「５」であり、一致しない（Ｓ２５２：ＮＯ）。そこで、「表示開始ページ番号」にテーブルの最初の「表示中ページ番号」が記憶される（Ｓ２５４）。そして、１番目の電子ペーパ５の「表示中ページ番号」には、１番目の「製造番号」の「表示中ページ番号」が旧ペーパ順序管理テーブルから読み出されて、そのまま記憶され、ペーパ順序管理テーブルの２番目から最後までの「表示中ページ番号」には、１番目の「表示中ページ番号」に順に「１」ずつ加算された値が記憶される（Ｓ２５５）。そして、「開始ペーパ順序番号」には２枚目以降を示す「２」が記憶され（Ｓ２５３）、「書換えページ数」から「１」が減算される（Ｓ２５６）。そして、ページ更新処理へ戻る。
【０１２７】
一方、ペーパ順序管理テーブル及び旧ペーパ順序管理テーブルから読み出された「走査製造番号」の「ペーパ順序番号」の値が一致すれば（Ｓ２５２：ＹＥＳ）、電子ペーパ５の順序に変化はなく、捲られていないので、「書換えページ数」に「０」が記憶され、（Ｓ２５３）本処理は終了して、ページ更新処理へ戻る。
【０１２８】
そして、図２０に示すように、ページ更新処理では、ページ捲りがあったか否かの判断が行われる（Ｓ２０８）。「書換えページ数」に「０」より大きい値が記憶されていれば、ページ捲りがあったと判断される（Ｓ２０８：ＹＥＳ）。ペーパ順序管理テーブルが図２７に示したペーパ順序管理テーブル３３３４のような状態であれば、「書換えページ数」に「接続ペーパ数−１」が記憶されているので、ページ捲りがあったと判断され（Ｓ２０８：ＹＥＳ）、データ表示処理が行われる（Ｓ２０９、図１７）。そして、ページ更新処理は終了し、メイン処理へ戻る。また、Ｓ２０２で作成されたペーパ順序管理テーブルが図２７に示したような状態でなければ、ページ捲りはあったと判断されない（Ｓ２０８：ＮＯ）。そこで、そのままページ更新処理は終了し、メイン処理へ戻る。
【０１２９】
なお、ページ更新処理のＳ２０９のページ表示処理は、Ｓ６で行われたデータ表示処理（図１７参照）と同様である。ここでは、既に追加電子ペーパが挿入されている場合には、一時表示データ記憶エリア３３４にデータが記憶されており、Ｓ７２において、一時データが記憶されていると判断されることがある（Ｓ７２：ＹＥＳ）。この場合には、メモリカード３７からではなく、一時表示データ記憶エリア３３４から展開データが読み出されてページデータ展開領域３３１に記憶されることとなる（Ｓ７４）。
【０１３０】
次に、図１４に示すメイン処理へ戻り、Ｓ７において、綴じ部材２が開閉されたと判断された場合について説明する。綴じ部材２が開閉されていれば（Ｓ７：ＹＥＳ）、表示装置１にスレーブペーパ４が追加されたり、表示装置１からスレーブペーパ４が抜き取られたりしている可能性がある。本発明の表示装置１では、スレーブペーパ４が追加されていれば（Ｓ１０１：ＹＥＳ）、追加されたスレーブペーパ４（追加電子ペーパ）に表示されているコンテンツを、もともと綴じられている電子ペーパ５に表示させる（Ｓ１４，Ｓ１５）。また、表示装置１からスレーブペーパ４が抜き取られていれば（Ｓ１１：ＮＯ）、抜き取られたスレーブペーパ４が追加電子ペーパであるか否かに基づいて、残された電子ペーパ５の表示の更新が行われる（Ｓ２１〜Ｓ２６）。
【０１３１】
まず、ペーパ順序管理テーブル記憶エリア３３３に記憶されているペーパ順序管理テーブルが旧ペーパ順序管理テーブル記憶エリア３３５にコピーされる（Ｓ８）。そして、ペーパ情報収集処理が行われる（Ｓ９、図１５参照）。このペーパ情報収集処理については、Ｓ２で行われた処理と同様であり、図１５を参照して前述しているので、説明を引用して省略する。ここで、現在の表示装置１において綴じられている電子ペーパ５についてのペーパ順序管理テーブルが新たに作成される。
【０１３２】
そして、旧ペーパ順序管理テーブルとペーパ順序管理テーブルとが比較され、一致するか否かにより綴じられている電子ペーパ５に変化があったか否かの判断が行われる（Ｓ１０）。図２８に示すペーパ順序管理テーブル３３３５は、図２に示したように、１枚目と２枚目の電子ペーパ５の間にスレーブペーパ４１１が追加された際のペーパ順序管理テーブルである。このような場合には、図１１に示すペーパ順序管理テーブル３３３１が旧ペーパ順序管理テーブルとして記憶されており、ペーパ順序管理テーブル３３３１とペーパ順序管理テーブル３３３５とが比較される。旧ペーパ順序管理テーブル３３３１には５つのデータが記憶されており、ペーパ順序管理テーブル３３３５には６つのデータが記憶されているので、変化があったと判断される（Ｓ１０：ＹＥＳ）。
【０１３３】
また、変化があれば（Ｓ１０：ＹＥＳ）、電子ペーパ５が追加されたか否かの判断が行われる（Ｓ１１）。ペーパ順序管理テーブルのデータ数が増えていれば、電子ペーパ５は追加されている（Ｓ１１：ＹＥＳ）。図２８に示すペーパ順序管理テーブル３３３５の例では、データ数が「５」から「６」に増えているので、追加されたと判断される。そこで追加電子ペーパから「コンテンツ情報」を取得するコンテンツ情報取得処理が行われる（Ｓ１２、図２４参照）。
【０１３４】
図２４に示すように、まず、ペーパ順序管理テーブルと旧ペーパ順序管理テーブルとを比較し、旧ペーパ順序管理テーブルにはない製造番号が「追加電子ペーパ製造番号」として、追加電子ペーパ製造番号記憶エリア３４６に記憶される（Ｓ１０１）。図２８に示すペーパ順序管理テーブル３３３５では、「ペーパ順序番号」が「２」の「製造番号」が「Ｓ０１１２７」であるスレーブペーパ４が、ペーパ順序管理テーブル３３３１にはないので、追加電子ペーパであると判断され、「Ｓ０１１２７」が「追加電子ペーパ製造番号」として、追加電子ペーパ製造番号記憶エリア３４６に記憶される。そして、「追加電子ペーパ製造番号」のスレーブペーパ４に対して、「ＲＥＱＣＯＮＴＥＮＴＳ」コマンドが送信される（Ｓ１０２）。そして、スレーブペーパ４からの「ＳＥＮＤＣＯＮＴＥＮＳ」コマンドの受信処理が行われる（１０３）。そして、マスタペーパメイン処理へ戻る。なお、ペーパ順序テーブルと旧ペーパ順序テーブルとに変化がなければ（Ｓ１０：ＮＯ）、電子ペーパ５の追加や削除はないので、そのままＳ７へ戻る。
【０１３５】
図１４に示すように、マスタペーパメイン処理では、受信した「ＳＥＮＤＣＯＮＴＥＮＳ」コマンドにコンテンツ情報及び追加電子ペーパページ番号がセットされているか否かにより、コンテンツ情報が存在するか否かの判断が行われる（Ｓ１３）。そこで、コンテンツ情報及び追加電子ペーパページ番号がセットされていれば（Ｓ１３：ＹＥＳ）、ＲＡＭ３３の一時表示データ記憶エリア３３４の一時表示データ記憶エリア３３４に記憶される（Ｓ１４）。そして、一時表示用ページ表示処理が行われる（Ｓ１５、図１８及び図１９参照）。
【０１３６】
ここで、図１８及び図１９のフローチャートを参照して、一時表示用ページ表示処理について説明する。ここでは、図３に示した説明図５０１を例に挙げて説明する。まず、ペーパ順序管理テーブルから追加電子ペーパ製造番号の「ペーパ順序番号」が読み出され、「追加電子ペーパ順序番号」として追加電子ペーパ順序番号記憶エリア３４８に記憶される（Ｓ１３１）。具体的には製造番号「Ｓ０１１２７」のペーパ順序番号「２」が記憶される。そして、ページ番号オフセット記憶エリア３４５に設けられている「ページ番号オフセット」に初期値の「１」が記憶される（Ｓ１３２）。そして、表示更新フラグに「０」が記憶される（Ｓ１３３）。
【０１３７】
次いで、追加電子ペーパよりも前に綴じられている電子ペーパ５への表示の処理が行われる（Ｓ１３３〜Ｓ１４３）。まず、「追加電子ペーパ順序番号」から「ページ番号オフセット」を引いた値が「表示ペーパ順序番号」として表示ペーパ順序番号記憶エリア３４９に記憶される（Ｓ１３４）。そして、ここでは、「２−１＝１」が記憶される。そして、「表示ペーパページ番号」を「ペーパ順序番号」とするデータがペーパ順序管理テーブルにあるか否かの判断が行われる（Ｓ１３５）。「１」を「ペーパ順序番号」とするデータはペーパ順序管理テーブル３３３４に存在するので、存在すると判断される（Ｓ１３５：ＹＥＳ）。そして、一時表示ページ番号記憶エリア３４３に設けられている「一時表示ページ番号」に、一時表示データ記憶エリア３３４に記憶されている「追加電子ペーパページ番号」から「ページ番号オフセット」が引かれた値が記憶される（Ｓ１３６）。図３に示した説明図５０１の例では、追加電子ペーパ４１１には「文書Ｂ」というコンテンツの３ページ目が表示されているので、「追加電子ペーパページ番号」として「３」が記憶されている。よって、「一時表示ページ番号」は「３−１＝２」とされる。そして、「一時表示ページ番号」は「０」より大きいので（Ｓ１３７：ＹＥＳ）、一時表示データ記憶エリア３３４に記憶されている一時表示データ（追加電子ペーパに表示されているコンテンツの全ページの展開データ）から、「一時表示ページ番号」の示すページの展開データがページデータ展開領域３３１に記憶される（Ｓ１３８）。
【０１３８】
そして、「表示ペーパページ番号」のデータの製造番号がマスタペーパ３を示すものであるか否かの判断が行われる（Ｓ１３９）。「Ｓ」で始まる製造番号であれば、マスタペーパ３でなくスレーブペーパ４であるので（Ｓ１３９：ＮＯ）、ＲＥＱＷＲＩＴＥコマンドが送信される（Ｓ１４０）。また、「Ｍ」で始まる製造番号であれば、マスタペーパ３を示すものであるので（Ｓ１３９：ＹＥＳ）、表示部３６にページデータ展開領域３３１に記憶されている展開データが表示される（Ｓ１４２）。図２８に示すペーパ順序管理テーブル３３３４の例では、「１」番目の製造番号は「Ｓ００２３４」であり、マスタペーパ３でないので（Ｓ１３９：ＮＯ）、送信先に「Ｓ００２３４」がセットされ、ページデータ展開領域３３１に記憶されている展開データが添付データとされたＲＥＱＷＲＩＴＥコマンドが送信される（Ｓ１４０）。そして、製造番号「Ｓ００２３４」のスレーブペーパ４からのＳＥＮＤＷＲＩＴＥコマンドの受信処理が行われる（Ｓ１４１）。なお、図示しないが、この時点で、ペーパ順序管理テーブルの表示中ページ番号欄に「一時表示ページ番号」が記憶される。そして、電子ペーパ５への表示が行われたので、表示フラグに「１」が加算されて「１」とされる（Ｓ１４３）。そして、図１９に示すＳ１５４へ進む。
【０１３９】
なお、「表示ペーパページ番号」を「ペーパ順序番号」とするデータがペーパ順序管理テーブルにない場合や（Ｓ１３５：ＮＯ）、「一時表示ページ番号」が「０」より大きくない場合には（Ｓ１３７：ＮＯ）、追加電子ペーパよりも前に表示させるべき電子ペーパ５がないので、表示更新フラグへの加算が行われることなく、「０」のままＳ１５４へ進む。
【０１４０】
そして、Ｓ１５４〜Ｓ１６３では、追加電子ペーパよりも後にある電子ペーパ５への表示の処理が行われる。まず、「追加電子ペーパ順序番号」に「ページ番号オフセット」を足した値が「表示ペーパ順序番号」として表示ペーパ順序番号記憶エリア３４９に記憶される（Ｓ１５４）。そして、ここでは、「２＋１＝３」が記憶される。そして、「表示ペーパページ番号」を「ペーパ順序番号」とするデータがペーパ順序管理テーブルにあるか否かの判断が行われる（Ｓ１５５）。「３」を「ペーパ順序番号」とするデータはペーパ順序管理テーブル３３３４に存在するので、存在すると判断される（Ｓ１５５：ＹＥＳ）。そして、一時表示ページ番号記憶エリア３４３に設けられている「一時表示ページ番号」に、一時表示データ記憶エリア３３４に記憶されている「追加電子ペーパページ番号」に「ページ番号オフセット」が足された値が記憶される（Ｓ１５６）。図３に示した説明図５０１の例では、追加電子ペーパ４１１には「文書Ｂ」というコンテンツの３ページ目が表示されているので、「追加電子ペーパページ番号」として「３」が記憶されている。よって、「一時表示ページ番号」は「３＋１＝４」とされる。そして、「一時表示ページ番号」は「０」より大きいので（Ｓ１５７：ＹＥＳ）、一時表示データ記憶エリア３３４に記憶されている一時表示データ（追加電子ペーパに表示されているコンテンツの全ページの展開データ）から、「一時表示ページ番号」の示すページの展開データがページデータ展開領域３３１に記憶される（Ｓ１５８）。
【０１４１】
そして、「表示ペーパページ番号」のデータの製造番号がマスタペーパ３を示すものであるか否かの判断が行われる（Ｓ１５９）。「Ｓ」で始まる製造番号であれば、マスタペーパ３でなくスレーブペーパ４であるので（Ｓ１５９：ＮＯ）、ＲＥＱＷＲＩＴＥコマンドが送信される（Ｓ１６１）。また、「Ｍ」で始まる製造番号であれば、マスタペーパ３を示すものであるので（Ｓ１５９：ＹＥＳ）、表示部３６にページデータ展開領域３３１に記憶されている展開データが表示される（Ｓ１６０）。図２８に示すペーパ順序管理テーブル３３３５の例では、「３」番目の製造番号は「Ｓ０４０５８」であり、マスタペーパ３でないので（Ｓ１５９：ＮＯ）、送信先に「Ｓ０４０５８」がセットされ、ページデータ展開領域３３１に記憶されている展開データが添付データとされたＲＥＱＷＲＩＴＥコマンドが送信される（Ｓ１６１）。そして、製造番号「Ｓ０４０５８」のスレーブペーパ４からのＳＥＮＤＷＲＩＴＥコマンドの受信処理が行われる（Ｓ１６２）。なお、図示しないが、この時点で、ペーパ順序管理テーブルの表示中ページ番号欄に「一時表示ページ番号」が記憶される。そして、電子ペーパ５への表示が行われたので、表示フラグに「１」が加算されて「２」とされる（Ｓ１６３）。そして、Ｓ１６４へ進む。
【０１４２】
なお、「表示ペーパページ番号」を「ペーパ順序番号」とするデータがペーパ順序管理テーブルにない場合や（Ｓ１５５：ＮＯ）、「一時表示ページ番号」が「０」より大きくない場合には（Ｓ１５７：ＮＯ）、追加電子ペーパよりも前に表示させるべき電子ペーパ５がないので、表示更新フラグへの加算が行われることなく、Ｓ１６４へ進む。
【０１４３】
そして、Ｓ１６４では、表示更新フラグが「０」より大きいか否かの判断が行われる。表示のための処理が行われていれば、表示更新フラグは「１」又は「２」とされているので、「０」より大きいと判断され（Ｓ１６４：ＹＥＳ）、「ページ番号オフセット」に「１」が加算されて（Ｓ１６５）、Ｓ１３３へ戻る。そして、表示フラグに「０」が記憶されてリセットされ（Ｓ１３３）、さらに１つ追加電子ペーパから離れた位置に綴じられている電子ペーパ５への表示のための処理が行われる（Ｓ１３３〜Ｓ１６３）。
【０１４４】
このようにして、Ｓ１３３〜Ｓ１６３の処理を繰り返し、追加電子ペーパの前後のすべての電子ペーパ５への表示が終了したり、表示すべきページがなくなったら、表示更新フラグは「０」のままでＳ１６４が行われ（Ｓ１６４：ＮＯ）、一時表示用ページ表示処理は終了して、マスタペーパメイン処理へ戻る。
【０１４５】
このようにして、追加電子ペーパが挿入された際には、追加電子ペーパに記憶されているコンテンツ情報に基づいて、表示装置１にもともと綴じられている電子ペーパ５に、追加電子ペーパに表示されていたコンテンツが表示される。
【０１４６】
次に、電子ペーパ５が追加されたのではなく、抜き取られた場合（Ｓ１１：ＮＯ）について説明する。まず、抜き取られたのは追加電子ペーパであるか否かの判断が行われる（Ｓ２１）。ペーパ順序管理テーブルと旧ペーパ順序管理テーブルとを比較して、ペーパ順序管理テーブルに追加電子ペーパ製造番号記憶エリア３４６に記憶されている製造番号のデータがなくなっていれば、抜かれたのは追加電子ペーパであると判断される（Ｓ２１：ＹＥＳ）。そこで、もともと表示装置１に表示されていたコンテンツ（メモリカード３７に記憶されているコンテンツ）を再び表示させる。そのために、「開始ペーパ順序番号」に「１」が記憶され、「書換えページ数」に「接続ペーパ数」が記憶され（Ｓ２２）、一時表示データ記憶エリア３３４に記憶されているコンテンツ情報及び一時表示ページ番号が削除される（Ｓ２３）。そして、Ｓ２５へ進む。
【０１４７】
また、ペーパ順序管理テーブルと旧ペーパ順序管理テーブルとを比較して、ペーパ順序管理テーブルに追加電子ペーパ製造番号記憶エリア３４６に記憶されている製造番号のデータがあれば、抜かれたのは追加電子ペーパでないと判断される（Ｓ２１：ＮＯ）。そこで、抜き取られた電子ペーパ５により空いてしまったページを詰めて表示させる必要がある。そのために、「開始ペーパ順序番号」に抜き取られた電子ペーパ５の次に綴じられていた電子ペーパ５の順序番号が記憶され、「書換えページ数」には抜き取られた電子ペーパ５以降の電子ペーパ５の数が記憶される（Ｓ２４）。そして、Ｓ２５へ進む。
【０１４８】
そして、コンテンツ情報送信処理が行われ（Ｓ２５、図１６）、データ表示処理が行われて（Ｓ２６、図１７）、Ｓ７へ戻る。コンテンツ情報送信処理及びデータ表示処理については、Ｓ５，Ｓ６において実施されたのと同様の処理であるので、引用して説明を省略する。
【０１４９】
このようにして、マスタペーパメイン処理において、スレーブペーパ４が追加された場合には、追加電子ペーパに表示されていたコンテンツが表示装置１にもともと綴じられていた電子ペーパ５に表示される。また、スレーブペーパ４が抜き取られた場合には、抜き取られた電子ペーパ５が追加電子ペーパであれば、もともと表示装置１に表示されていたコンテンツが表示される。
【０１５０】
次に、図２９を参照して、スレーブペーパ４で実施されるスレーブペーパメイン処理について説明する。図２９は、スレーブペーパメイン処理のフローチャートである。図２９に示すように、まず、この処理も、マスタペーパメイン処理と同様に、表示装置１の電源が投入された際に開始される。まず、接続位置の更新が行われる（Ｓ３０１）。具体的には、位置検出用リング２４のどの位置に当該スレーブペーパ４が配置されているかを示すＡ／Ｄ変換値が取得される。電圧計測部４８において電圧が計測され、位置検出部４７において電圧計測部４８からＡ／Ｄ変換される。そして、位置検出用リング２４が挿入されている方の位置検出用貫通孔６４においては「０」〜「２５５」の値が得られる。このＡ／Ｄ変換値が接続位置記憶エリア４３１に記憶される。
【０１５１】
そして、他の電子ペーパ５から送信されるコマンドの受信処理が行われる（Ｓ３０２）。なお、コマンドを受信したら、「宛先位置」に自身の接続位置がセットされているか否かにより、自身に送信されたコマンドであるか否かの判断が行われる（Ｓ３０３）。具体的には、送信されたデータの２つ目の項目にセットされている値と、接続位置記憶エリア４３１に記憶されている値とが同じ値であるか否かの判断が行われる。宛先位置と接続位置が同じであり、自身に宛てられたコマンドであれば（Ｓ３０３：ＹＥＳ）、「コマンド種類」がＲＥＱＩＤであるか否かの判断が行われる。４つ目の項目にセットされている値が「ＲＥＱＩＤ」であれば（Ｓ３０４：ＹＥＳ）、マスタペーパ３から製造番号の送信を依頼されているので、自身の製造番号を載せたＳＥＮＤＩＤコマンドをマスタペーパ３へ送信する必要がある。そこで、（Ｍ，＊，＊，ＳＥＮＤＩＤ，ＥＥＰＲＯＭ４４に記憶されている製造番号）というデータが作成され、内部通信部４５から送信される（Ｓ３０５）。そして、Ｓ３０１へ戻る。また、「コマンド種類」がＲＥＱＩＤでなければ（Ｓ３０４：ＮＯ）、スレーブペーパ４で処理すべきコマンドでないので、そのままＳ３０１へ戻る。
【０１５２】
また、「宛先位置」に自身の接続位置がセットされていなければ（Ｓ３０３：ＮＯ）、「宛先製造番号」が自身の製造番号であるか否かの判断が行われる（Ｓ３０６）。具体的には、送信されたデータの３つ目の項目にセットされている値と、ＥＥＰＲＯＭ４４に記憶されている製造番号とが同じ値であるか否かの判断が行われる。「宛先製造番号」の値が自身の製造番号でなければ（Ｓ３０６：ＮＯ）、自身に宛てられたコマンドでないので、そのままＳ３０１へ戻る。一方、「宛先製造番号」の値が自身の製造番号であれば（Ｓ３０６：ＹＥＳ）、自身に宛てられたコマンドであるので、コマンドの種類が確認され（Ｓ３０７，Ｓ３１１，Ｓ３１４）、それぞれのコマンドに対応した処理が行われる。
【０１５３】
「コマンド種類」が「ＲＥＱＷＲＩＴＥ」であれば（Ｓ３０７：ＹＥＳ）、送信されたデータの５つ目の項目の「添付データ」にセットされている展開データがＲＡＭ４３のページデータ展開エリア４３２に記憶される（Ｓ３０８）。そして、ページデータ展開エリア４３２の展開データが表示部４６に表示される（Ｓ３０９）。そして、表示が完了したコマンドを示すＳＥＮＤＤＯＮＥコマンドがマスタペーパ３へ送信される（Ｓ３１０）。具体的には（Ｍ，＊，＊，ＳＥＮＤＤＯＮＥ，ＮＵＬＬ）というデータが内部通信部４５から送信される。そして、Ｓ３０１へ戻る。
【０１５４】
また、「コマンド種類」が「ＲＥＱＤＡＴＡ」であれば（Ｓ３０７：ＮＯ，Ｓ３１１：ＹＥＳ）、受信したコンテンツ情報がＦｌａｓｈＲＯＭ４９のコンテンツ情報記憶エリア４４２に記憶される（Ｓ３１２）。そして、コンテンツ情報の記憶が完了したコマンドを示すＳＥＮＤＤＡＴＡコマンドがマスタペーパ３へ送信される（Ｓ３１３）。具体的には（Ｍ，＊，＊，ＳＥＮＤＤＡＴＡ，ＮＵＬＬ）というデータが内部通信部４５から送信される。そして、Ｓ３０１へ戻る。
【０１５５】
また、「コマンド種類」が「ＲＥＱＣＯＮＴＥＮＴＳ」であれば（Ｓ３０７：ＮＯ，Ｓ３１１：ＮＯ，Ｓ３１４：ＹＥＳ）、ＦｌａｓｈＲＯＭ４９のコンテンツ情報記憶エリア４４２に記憶されているコンテンツ及び当該コンテンツのページ数を添付データとして、ＳＥＮＤＣＯＮＴＥＮＴＳコマンドがマスタペーパ３へ送信される（Ｓ３１５）。具体的には（Ｍ，＊，＊，ＳＥＮＤＣＯＮＴＥＮＴＳ，添付データ）というデータが内部通信部４５から送信される。そして、Ｓ３０１へ戻る。
【０１５６】
なお、いずれの「コマンド種類」のものでもなければ（Ｓ３０７：ＮＯ，Ｓ３１１：ＮＯ，Ｓ３１４：ＮＯ）、図示しないが、それぞれのコマンドに応じた処理が行われ、Ｓ３０１へ戻る。その他のコマンドについては、本発明の要部でないので、説明を省略する。
【０１５７】
そして、再度、接続位置の更新が行われ（Ｓ３０１）、コマンドの受信処理が行われる（Ｓ３０２）。そして、自身宛のコマンドを受信すると（Ｓ３０３：ＹＥＳ）、それに応じた処理が行われている（Ｓ３０４，Ｓ３０５，Ｓ３０６〜Ｓ３１５）。このようにして、Ｓ３０１〜Ｓ３１５の処理が繰り返し実施されることにより、マスタペーパ３からのコマンドの指示に応じて、表示部４６への表示及び接続位置の取得、コンテンツ情報の記憶、コンテンツ情報の提供が行われる。
【０１５８】
なお、本実施の形態におけるスレーブペーパ４のＦｌａｓｈＲＯＭ４９のコンテンツ情報記憶エリア４４２が「コンテンツ情報記憶手段」に該当し、スレーブペーパ４のＥＥＰＲＯＭ４４の製造番号記憶エリア４４１が「識別番号記憶手段」に該当する。そして、「製造番号」が「識別番号」に該当する。そして、図１５に示すペーパ情報収集処理のＳ３３〜Ｓ３５の処理を行うマスタペーパ３のＣＰＵ３１が「識別情報取得手段」に相当し、図１４に示すマスタペーパメイン処理のＳ１１の処理を行うマスタペーパ３のＣＰＵ３１が「増判断手段」に相当し、図２４に示すコンテンツ情報取得処理のＳ１０１の処理を行うマスタペーパ３のＣＰＵ３１が「追加電子ペーパ特定手段」に相当し、図１４に示すマスタペーパメイン処理のＳ１２〜Ｓ１５の処理を行うＣＰＵ３１が「表示制御手段」に相当する。
【０１５９】
そして、図２９に示すスレーブペーパメイン処理のＳ３０１の処理を行うスレーブペーパ４のＣＰＵ４１が「位置情報検出処理」に相当し、Ｓ３０５の処理を行うスレーブペーパ４のＣＰＵ４１及び内部通信部４５が「送信手段」に相当する。そして、内部通信部３５が「位置情報受信手段」に相当する。そして、図１５に示すペーパ情報収集処理を行うＣＰＵ４１が「順序情報作成手段」に相当し、マスタペーパ３のＲＡＭ３３のペーパ順序管理テーブル記憶エリア３３３が「順序情報記憶手段」に該当する。そして、マスタペーパ３の開閉検出部３９が「開閉検出手段」に該当し、図１４のマスタペーパメイン処理のＳ７〜Ｓ９の処理を行うＣＰＵ３１が「開閉後順序情報作成制御手段」に相当する。
【０１６０】
なお、本発明の表示装置、出力装置及び電子ペーパは、上記した実施の形態に限定されるものではなく、本発明の要旨を逸脱しない範囲内において種々変更を加え得ることは勿論である。上記実施の形態では、「コンテンツ情報」として、全ページの展開データを用いたが、この「コンテンツ情報」は、追加電子ペーパに表示されているコンテンツの全ページを表示させることのできる情報であればよく、全ページの展開データに限らない。たとえば、表示部３６，４６に表示させるための展開データでなく、展開データを生成する前のコンテンツのもともとのデータであってもよい。また、表示装置１にネットワークに接続する手段を備え、ネットワーク上のコンテンツの存在する場所を示す情報としてもよい。コンテンツの存在する場所を示す情報としては、例えば、ＵＲＬやネットワークパスである。この際のネットワークに接続する手段が「接続手段」に該当する。そして、マスタペーパメイン処理（図１４）における一時表示データ保存処理（Ｓ１４）において、コンテンツ情報の示す場所に記憶されているコンテンツを接続手段により他の装置に接続して取得し、一時データ記憶エリア３３４に取得されたコンテンツの展開データが記憶される。この処理を行うＣＰＵ３１が「コンテンツ取得手段」に相当する。
【０１６１】
また、スレーブペーパ４に「追加電子ペーパ表示部」を設け、他の表示装置１に追加された際には、そのスレーブペーパ４が「追加電子ペーパ」であることを示す表示を行ってもよい。これには、スレーブペーパ４にＬＥＤ等の発光体を設けて、追加電子ペーパである場合に点灯させるようにしてもよい。また、表示部４６の隅に所定のマークを表示させるようにしたりしてもよい。この場合、ＬＥＤ等の発光体や表示部４６が「追加マーク出力手段」であり、そして、「追加マーク出力手段」に出力を指示するマスタペーパ３のＣＰＵ３１が「追加マーク表示制御手段」に該当する。
【０１６２】
また、上記実施の形態では、表示装置１に電子ペーパ５が追加された際に、追加電子ペーパの前後のページを表示させたが、１ページから順に表示させてもよい。また、上記実施の形態では、１つの表示部３６，４６に追加電子ペーパに表示されていたコンテンツの１ページ分の情報を表示させたが、たとえば、１つの表示部３６，４６に２ページ分の情報を表示させたり、４ページ分の表示をさせたり、複数のページの情報を表示させてもよい。また、その際には、追加電子ペーパから遠くなる電子ペーパ５であるほど、表示部３６，４６に表示させるページ数を多く、つまり、ページを縮小させて表示させてもよい。
【０１６３】
ここで、図３０のフローチャートを参照して、追加電子ペーパから遠くなる電子ペーパ５であるほど、表示部３６，４６に表示させるページ数を多く表示させる場合の処理について説明する。図３０は、変形例の一時表示データ保存処理のフローチャートである。この一時表示データ保存処理は、マスタペーパメイン処理において、追加電子ペーパから取得したコンテンツ情報を一時表示データとして保存するＳ１４の処理の代わりに行われるものである。
【０１６４】
図３０に示すように、まず、一時表示データ記憶エリア３３４から一時表示データが読み出される（Ｓ５０１）。そして、ペーパ順序管理テーブルから追加電子ペーパのペーパ順序番号が取得され、「追加電子ペーパ順序番号」として追加電子ペーパ順序番号記憶エリア３４８に記憶される（Ｓ５０２）。そして、「ページ番号」に初期値の「１」が記憶される（Ｓ５０３）。この「ページ番号」はＲＡＭ３３に記憶エリアが設けられている。
【０１６５】
そして、「ペーパポジション」に「追加電子ペーパ順序番号」と「ページ番号」の差が記憶され（Ｓ５０４）、「コンテンツページ数」を「２」で割った値で、「ペーパポジション」を割り、「判定値」として記憶される（Ｓ５０５）。なお、「ペーパポジション」及び「判定値」もＲＡＭ３３に記憶エリアが設けられている。この「判定値」は、値が小さいほど追加電子ペーパに近い位置に表示されるべきページであることを示している。つまり、追加電子ペーパに表示されているページに近いページである。そこで、「判定値」が「０．２」より小さいか否かの判断が行われる（Ｓ５０６）。小さい場合には（Ｓ５０６：ＹＥＳ）、ページ番号のページの展開データが等倍のまま一時表示データ記憶エリア３３４に保存される（Ｓ５０７）。そして、ページ番号に「１」が加算される（Ｓ５０８）。そして、Ｓ５０４へ戻り、次のページの処理が行われる。
【０１６６】
また、「０．２」よりも小さくない場合には（Ｓ５０６：ＮＯ）、「判定値」が「０．６」よりも小さいか否かの判断が行われる（Ｓ５０９）。「０．６」よりも小さい場合には（Ｓ５０９：ＹＥＳ）、ページ番号のページの展開データが１／２に縮小されて一時表示データ記憶エリア３３４に保存される（Ｓ５１０）。そして、ページ番号に「１」が加算されて（Ｓ５１１）、Ｓ５０４に戻る。また、「０．６」よりも小さくない場合には（Ｓ５０９：ＮＯ）、「ページ番号」が「コンテンツページ数」より大きいか否かの判断が行われる（Ｓ５１２）。「ページ番号」が「コンテンツページ数」より大きくない場合には（Ｓ５１２：ＮＯ）、まだ処理すべきページがあるので、ページ番号のページの展開データが１／４に縮小されて一時表示データ記憶エリア３３４に保存される（Ｓ５１３）。そして、ページ番号に「１」が加算されて（Ｓ５１４）、Ｓ５０４に戻る。また、「ページ番号」が「コンテンツページ数」より大きい場合には（Ｓ５１２：ＹＥＳ）、すべてのページの処理が終了したので、マスタペーパメイン処理へ戻る。
【０１６７】
このようにして、Ｓ５０４〜Ｓ５１２の処理が繰り返され、追加電子ペーパに表示されているページに近いページは等倍で展開データが記憶され、少し離れたページは１／２で縮小して記憶され、さらに離れたページは１／４で記憶される。
【０１６８】
尚、上述の実施形態では、電子ペーパが追加されバインダが綴じられるとすぐ、他の電子ペーパの表示が書き換えられるものとして説明したが、他の電子ペーパの書き換え指示を行うボタンを設け、そのボタンの操作などで指示された初めて他の電子ペーパの表示の書き換えを行うようにしてもよい。
【図面の簡単な説明】
【０１６９】
【図１】表示装置１の外観を模式的に示した外観図である。
【図２】表示装置１に他の表示装置１で表示部４６への表示が行われたスレーブペーパ４１１が挿入される際の状態を示した説明図５００である。
【図３】スレーブペーパ４１１が表示装置１へ挿入された際の各電子ペーパ５の表示状態を示した説明図５０１である。
【図４】図３に示した説明図５０１の状態からスレーブペーパ４１１が抜き取られた状態の各電子ペーパ５の表示状態を示した説明図５０２である。
【図５】図３に示した説明図５０１の状態からスレーブペーパ４０３が抜き取られた状態の各電子ペーパ５の表示状態を示した説明図５０１である。
【図６】電源供給用リング２１の断面を示す模式図である。
【図７】位置検出用リング２４の断面を示す模式図である。
【図８】位置検出用リング２４に１枚のマスタペーパ３と４枚のスレーブペーパ４とが綴じられている状態を示す模式図である。
【図９】表示装置１の電気的構成を示すブロック図である。
【図１０】マスタペーパ３のＲＡＭ３３のデータ構造を示す構成図である。
【図１１】ペーパ順序管理テーブル記憶エリア３３３に記憶されたペーパ順序管理テーブルの一例であるペーパ順序管理テーブル３３３１のデータ構造を示す構成図である。
【図１２】スレーブペーパ４のＲＡＭ４３のデータ構造を示す構成図である。
【図１３】スレーブペーパ４のＥＥＰＲＯＭ４４のデータ構造を示す構成図である。
【図１４】マスタペーパメイン処理のフローチャートである。
【図１５】マスタペーパメイン処理で実施されるペーパ情報収集処理のフローチャートである。
【図１６】マスタペーパメイン処理で実施されるコンテンツ情報送信処理のフローチャートである。
【図１７】マスタペーパメイン処理で実施されるデータ表示処理のフローチャートである。
【図１８】マスタペーパメイン処理で実施される一時表示用ページ表示処理のフローチャートである。
【図１９】マスタペーパメイン処理で実施される一時表示用ページ表示処理のフローチャートである。
【図２０】マスタペーパメイン処理で実施されるページ更新処理のフローチャートである。
【図２１】ページ更新処理で実施される先頭ページ位置走査処理のフローチャートである。
【図２２】ページ更新処理で実施される後端ページ位置走査処理のフローチャートである。
【図２３】ページ更新処理で実施される複数ページ位置検出処理のフローチャートである。
【図２４】マスタペーパメイン処理で実施されるコンテンツ情報取得処理のフローチャートである。
【図２５】ペーパ順序テーブル３３３２の模式図である。
【図２６】ペーパ順序テーブル３３３３の模式図である。
【図２７】ペーパ順序テーブル３３３４の模式図である。
【図２８】ペーパ順序テーブル３３３５の模式図である。
【図２９】スレーブペーパメイン処理のフローチャートである。
【図３０】変形例の一時表示データ保存処理のフローチャートである。
【図３１】ＦｌａｓｈＲＯＭ４９のデータ構造を示す構成図である。
【符号の説明】
【０１７０】
１  表示装置
２  綴じ部材
３  マスタペーパ
４  スレーブペーパ
５  電子ペーパ
２３  通信用リング
２４  位置検出用リング
３０  通信部
３１  ＣＰＵ
３２  ＲＯＭ
３４  ＥＥＰＲＯＭ
３５  内部通信部
３６  表示部
３７  メモリカード
３９  開閉検出部
４１  ＣＰＵ
４３  ＲＡＭ
４４  ＥＥＰＲＯＭ
４５  内部通信部
４６  表示部
４７  位置検出部
４８  電圧計測部
４９  ＦｌａｓｈＲＯＭ
１４８  スイッチ
３３１  ページデータ展開領域
３３３  ペーパ順序管理テーブル記憶エリア
３３４  一時表示データ記憶エリア
４３１  接続位置記憶エリア
４４１  製造番号記憶エリア
４４２  コンテンツ情報記憶エリア
【図１】
2008083566.tif 000003
【図２】
2008083566.tif 000004
【図３】
2008083566.tif 000005
【図４】
2008083566.tif 000006
【図５】
2008083566.tif 000007
【図６】
2008083566.tif 000008
【図７】
2008083566.tif 000009
【図８】
2008083566.tif 000010
【図９】
2008083566.tif 000011
【図１０】
2008083566.tif 000012
【図１１】
2008083566.tif 000013
【図１２】
2008083566.tif 000014
【図１３】
2008083566.tif 000015
【図１４】
2008083566.tif 000016
【図１５】
2008083566.tif 000017
【図１６】
2008083566.tif 000018
【図１７】
2008083566.tif 000019
【図１８】
2008083566.tif 000020
【図１９】
2008083566.tif 000021
【図２０】
2008083566.tif 000022
【図２１】
2008083566.tif 000023
【図２２】
2008083566.tif 000024
【図２３】
2008083566.tif 000025
【図２４】
2008083566.tif 000026
【図２５】
2008083566.tif 000027
【図２６】
2008083566.tif 000028
【図２７】
2008083566.tif 000029
【図２８】
2008083566.tif 000030
【図２９】
2008083566.tif 000031
【図３０】
2008083566.tif 000032
【図３１】
2008083566.tif 000033